(57)【要約】      （修正有）【課題】十分に長い輝度半減寿命を有することが可能な高分子発光素子を提供すること。【解決手段】陽極及び陰極との間に発光層を有し且つ該発光層と該陽極との間に正孔輸送層を有する高分子発光素子であって、  前記正孔輸送層が、下記化合物（Ｉ）で示される繰返し単位、下記一般式（ＩＩ）で示される繰返し単位及び下記一般式（ＩＩＩ）で示される繰返し単位を含む高分子化合物を含有する層であることを特徴とする高分子発光素子。［化合物（Ｉ）］：フルオレン骨格を有する化合物［一般式（ＩＩ）］    −Ａｒ１−        （ＩＩ）（式（ＩＩ）中、Ａｒ１は２価の芳香族アミンを表す。）［一般式（ＩＩＩ）］    −Ａｒ２−        （ＩＩＩ）（式（ＩＩＩ）中、Ａｒ２はアリーレン基又は２価の複素環基を表す。）。【選択図】なし【特許請求の範囲】
【請求項１】
陽極及び陰極との間に発光層を有し且つ該発光層と該陽極との間に正孔輸送層を有する高分子発光素子であって、
前記正孔輸送層が、下記一般式（Ｉ）で示される繰返し単位、下記一般式（ＩＩ）で示される繰返し単位及び下記一般式（ＩＩＩ）で示される繰返し単位を含む高分子化合物を含有する層であることを特徴とする高分子発光素子。
［一般式（Ｉ）］
【化１】
2008189759.tif 000063
（式（Ｉ）中、Ｒ１、Ｒ２、Ｒ３及びＲ４は同一でも又は異なっていてもよく、それぞれ水素原子又はアルキル基を表し、Ｒ５、Ｒ６、Ｒ７及びＲ８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ａ、ｂ、ｃ及びｄは同一でも又は異なっていてもよく、それぞれ０〜３の整数を表し、Ｒ５、Ｒ６、Ｒ７及びＲ８がそれぞれ複数個存在する場合、それらは同一でも又は異なっていてもよい。）
［一般式（ＩＩ）］
−Ａｒ１−        （ＩＩ）
（式（ＩＩ）中、Ａｒ１は２価の芳香族アミンを表す。）
［一般式（ＩＩＩ）］
−Ａｒ２−        （ＩＩＩ）
（式（ＩＩＩ）中、Ａｒ２はアリーレン基又は２価の複素環基を表す。）。
【請求項２】
前記一般式（ＩＩ）中のＡｒ１が、下記一般式（ＩＶ）で示される基であることを特徴とする請求項１に記載の高分子発光素子。
［一般式（ＩＶ）］
【化２】
2008189759.tif 000064
（式（ＩＶ）中、Ｒ９〜Ｒ３４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｏ及びｐは同一でも又は異なっていてもよく、それぞれ０又は１の整数を表し、
Ｒ１０が結合している炭素及びＲ１８が結合している炭素、Ｒ１２が結合している炭素及びＲ１３が結合している炭素、Ｒ２４が結合している炭素及びＲ３４が結合している炭素、又は、Ｒ３０が結合している炭素及びＲ３１が結合している炭素がそれぞれ直接結合して或いは酸素原子又は硫黄原子を介して結合して環を形成していてもよく、このような環が形成される場合、Ｒ１０及びＲ１８、Ｒ１２及びＲ１３、Ｒ２４及びＲ３４、又は、Ｒ３０及びＲ３１はそれぞれ一緒になって、前記直接結合、前記酸素原子又は前記硫黄原子を表す。）。
【請求項３】
前記一般式（ＩＩＩ）中のＡｒ２が、下記一般式（Ｖ）で示される基であることを特徴とする請求項１又は２に記載の高分子発光素子。
［一般式（Ｖ）］
【化３】
2008189759.tif 000065
（式（Ｖ）中、Ｒ３５及びＲ３６は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ３７及びＲ３８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｅ及びｆは同一でも又は異なっていてもよく、それぞれ０〜３の整数を表し、Ｒ３７及びＲ３８がそれぞれ複数個存在する場合、それらは同一でも又は異なっていてもよい。）。
【請求項４】
前記一般式（ＩＩＩ）中のＡｒ２が、下記一般式（ＶＩ）で示される基であることを特徴とする請求項１又は２に記載の高分子発光素子。
［一般式（ＶＩ）］
【化４】
2008189759.tif 000066
（式（ＶＩ）中、Ｒ３９及びＲ４０は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ４１及びＲ４２は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｇは０〜３の整数を表し、ｈは０〜５の整数を表し、Ｒ４１及びＲ４２はそれぞれ複数個存在する場合、それらは同一でも又は異なっていてもよい。）。
【請求項５】
前記一般式（ＩＩＩ）中のＡｒ２が、下記一般式（ＶＩＩ）で示される基であることを特徴とする請求項１又は２に記載の高分子発光素子。
［一般式（ＶＩＩ）］
【化５】
2008189759.tif 000067
（式（ＶＩＩ）中、Ｘは酸素原子又は硫黄原子を表し、Ｒ４３及びＲ４４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｉ及びｊは同一でも又は異なっていてもよく、それぞれ０〜３の整数を表し、Ｒ４３及びＲ４４はそれぞれ複数個存在する場合、それらは同一でも又は異なっていてもよい。）。
【請求項６】
前記高分子化合物のポリスチレン換算の重量平均分子量が１０３〜１０７であることを特徴とする請求項１〜５のうちのいずれか一項に記載の高分子発光素子。
【請求項７】
前記正孔輸送層が正孔輸送材料を更に含有する層であることを特徴とする請求項１〜６のうちのいずれか一項に記載の高分子発光素子。
【請求項８】
下記一般式（Ｉ）で示される繰返し単位、下記一般式（ＩＩ）で示される繰返し単位及び下記一般式（ＶＩ）で示される繰返し単位を含むことを特徴とする高分子化合物。
［一般式（Ｉ）］
【化６】
2008189759.tif 000068
（式（Ｉ）中、Ｒ１、Ｒ２、Ｒ３及びＲ４は同一でも又は異なっていてもよく、それぞれ水素原子又はアルキル基を表し、Ｒ５、Ｒ６、Ｒ７及びＲ８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ａ、ｂ、ｃ及びｄは同一でも又は異なっていてもよく、それぞれ０〜３の整数を表し、Ｒ５、Ｒ６、Ｒ７及びＲ８がそれぞれ複数個存在する場合、それらは同一でも又は異なっていてもよい。）
［一般式（ＩＩ）］
−Ａｒ１−        （ＩＩ）
（式（ＩＩ）中、Ａｒ１は２価の芳香族アミンを表す。）
［一般式（ＶＩ）］
【化７】
2008189759.tif 000069
（式（ＶＩ）中、Ｒ３９及びＲ４０は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ４１及びＲ４２は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｇは０〜３の整数を表し、ｈは０〜５の整数を表し、Ｒ４１及びＲ４２はそれぞれ複数個存在する場合、それらは同一でも又は異なっていてもよい。）。
【請求項９】
下記一般式（Ｉ）で示される繰返し単位、下記一般式（ＩＩ）で示される繰返し単位及び下記一般式（ＶＩＩ）で示される繰返し単位を含むことを特徴とする高分子化合物。
［一般式（Ｉ）］
【化８】
2008189759.tif 000070
（式（Ｉ）中、Ｒ１、Ｒ２、Ｒ３及びＲ４は同一でも又は異なっていてもよく、それぞれ水素原子又はアルキル基を表し、Ｒ５、Ｒ６、Ｒ７及びＲ８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ａ、ｂ、ｃ及びｄは同一でも又は異なっていてもよく、それぞれ０〜３の整数を表し、Ｒ５、Ｒ６、Ｒ７及びＲ８がそれぞれ複数個存在する場合、それらは同一でも又は異なっていてもよい。）
［一般式（ＩＩ）］
−Ａｒ１−        （ＩＩ）
（式（ＩＩ）中、Ａｒ１は２価の芳香族アミンを表す。）
［一般式（ＶＩＩ）］
【化９】
2008189759.tif 000071
（式（ＶＩＩ）中、Ｘは酸素原子又は硫黄原子を表し、Ｒ４３及びＲ４４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｉ及びｊは同一でも又は異なっていてもよく、それぞれ０〜３の整数を表し、Ｒ４３及びＲ４４はそれぞれ複数個存在する場合、それらは同一でも又は異なっていてもよい。）。
【請求項１０】
前記一般式（ＩＩ）中のＡｒ１が、下記一般式（ＩＶ）で示される基であることを特徴とする請求項８又は９に記載の高分子化合物。
［一般式（ＩＶ）］
【化１０】
2008189759.tif 000072
（式（ＩＶ）中、Ｒ９〜Ｒ３４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｏ及びｐは同一でも又は異なっていてもよく、それぞれ０又は１の整数を表し、
Ｒ１０が結合している炭素及びＲ１８が結合している炭素、Ｒ１２が結合している炭素及びＲ１３が結合している炭素、Ｒ２４が結合している炭素及びＲ３４が結合している炭素、又は、Ｒ３０が結合している炭素及びＲ３１が結合している炭素がそれぞれ直接結合して或いは酸素原子又は硫黄原子を介して結合して環を形成していてもよく、このような環が形成される場合、Ｒ１０及びＲ１８、Ｒ１２及びＲ１３、Ｒ２４及びＲ３４、又は、Ｒ３０及びＲ３１はそれぞれ一緒になって、前記直接結合、前記酸素原子又は前記硫黄原子を表す。）。
【請求項１１】
ポリスチレン換算の重量平均分子量が１０３〜１０７であることを特徴とする請求項８〜１０のうちのいずれか一項に記載の高分子化合物。
【請求項１２】
請求項８〜１１のうちのいずれか一項に記載の高分子化合物と、発光材料及び正孔輸送材料からなる群から選ばれる少なくとも１種の材料とを含有することを特徴とする組成物。
【請求項１３】
請求項８〜１１のうちのいずれか一項に記載の高分子化合物と、溶媒とを含有することを特徴とする液状組成物。
【請求項１４】
請求項８〜１１のうちのいずれか一項に記載の高分子化合物を１種類以上含有することを特徴とする導電性薄膜。
【発明の詳細な説明】
【技術分野】
【０００１】
本発明は、高分子発光素子、高分子化合物、組成物、液状組成物並びに導電性薄膜に関する。
【背景技術】
【０００２】
高分子量の化合物からなる電荷輸送材料（インターレイヤー材料を含む）や発光材料は発光素子等の素子における有機層に用いる材料等として有用である。そのため、種々の高分子化合物や、そのような高分子化合物を正孔輸送層に含む高分子発光素子が研究されてきた。例えば、特開平１０−９２５８２号公報（特許文献１）においては、所定のトリフェニルアミン誘導体を繰り返し単位として含む高分子化合物からなる正孔輸送層を含む高分子発光素子が開示されている。また、ＷＯ２００５／４９５４８号パンフレット（特許文献２）においては、フルオレンジイル基を繰り返し単位として含む高分子化合物が開示されている。また、ＷＯ２００６／０６０４３７号パンフレット（特許文献３）においては、下記一般式：
【０００３】
【化１】
2008189759.tif 000002
【０００４】
で示される２価の基を繰り返し単位として含む高分子化合物が開示されている
【特許文献１】特開平１０−９２５８２号公報
【特許文献２】ＷＯ２００５／４９５４８号パンフレット
【特許文献３】ＷＯ２００６／０６０４３７号パンフレット
【発明の開示】
【発明が解決しようとする課題】
【０００５】
しかしながら、特許文献１に記載の高分子発光素子や、特許文献２〜３に記載の高分子化合物を有機層に用いた高分子発光素子においては、輝度半減寿命が必ずしも十分なものではなかった。
【０００６】
本発明は、上記従来技術の有する課題に鑑みてなされたものであり、十分に長い輝度半減寿命を有することが可能な高分子発光素子を提供すること、並びに、高分子発光素子の材料として用いた場合に十分に長い輝度半減寿命を有する高分子発光素子を製造することが可能な高分子化合物、それを用いた組成物、液状組成物及び導電性薄膜を提供することを目的とする。
【課題を解決するための手段】
【０００７】
本発明者らは、上記目的を達成すべく鋭意研究を重ねた結果、陽極及び陰極との間に発光層を有し且つ前記発光層と前記陽極との間に正孔輸送層を有する高分子発光素子において、前記正孔輸送層を下記一般式（Ｉ）で示される繰返し単位、下記一般式（ＩＩ）で示される繰返し単位及び下記一般式（ＩＩＩ）で示される繰返し単位を含む高分子化合物を含有する層とすることにより、得られる高分子発光材料の輝度半減寿命を十分に長くすることが可能となることを見出すとともに、特定の繰返し単位を含有する高分子化合物により、十分に長い輝度半減寿命を有する高分子発光素子を製造することが可能となることを見出し、本発明を完成するに至った。
【０００８】
すなわち、本発明の高分子発光素子は、陽極及び陰極との間に発光層を有し且つ該発光層と該陽極との間に正孔輸送層を有する高分子発光素子であって、
前記正孔輸送層が、下記一般式（Ｉ）で示される繰返し単位、下記一般式（ＩＩ）で示される繰返し単位及び下記一般式（ＩＩＩ）で示される繰返し単位を含む高分子化合物を含有する層であることを特徴とするものである。
［一般式（Ｉ）］
【０００９】
【化２】
2008189759.tif 000003
【００１０】
（式（Ｉ）中、Ｒ１、Ｒ２、Ｒ３及びＲ４は同一でも又は異なっていてもよく、それぞれ水素原子又はアルキル基を表し、Ｒ５、Ｒ６、Ｒ７及びＲ８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ａ、ｂ、ｃ及びｄは同一でも又は異なっていてもよく、それぞれ０〜３の整数を表し、Ｒ５、Ｒ６、Ｒ７及びＲ８がそれぞれ複数個存在する場合、それらは同一でも又は異なっていてもよい。）
［一般式（ＩＩ）］
−Ａｒ１−        （ＩＩ）
（式（ＩＩ）中、Ａｒ１は２価の芳香族アミンを表す。）
［一般式（ＩＩＩ）］
−Ａｒ２−        （ＩＩＩ）
（式（ＩＩＩ）中、Ａｒ２はアリーレン基又は２価の複素環基を表す。）。
【００１１】
また、本発明の高分子発光素子としては、前記一般式（ＩＩ）中のＡｒ１が、下記一般式（ＩＶ）で示される基であることが好ましい。
［一般式（ＩＶ）］
【００１２】
【化３】
2008189759.tif 000004
【００１３】
（式（ＩＶ）中、Ｒ９〜Ｒ３４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｏ及びｐは同一でも又は異なっていてもよく、それぞれ０又は１の整数を表し、
Ｒ１０が結合している炭素及びＲ１８が結合している炭素、Ｒ１２が結合している炭素及びＲ１３が結合している炭素、Ｒ２４が結合している炭素及びＲ３４が結合している炭素、又は、Ｒ３０が結合している炭素及びＲ３１が結合している炭素がそれぞれ直接結合して或いは酸素原子又は硫黄原子を介して結合して環を形成していてもよく、このような環が形成される場合、Ｒ１０及びＲ１８、Ｒ１２及びＲ１３、Ｒ２４及びＲ３４、又は、Ｒ３０及びＲ３１はそれぞれ一緒になって、前記直接結合、前記酸素原子又は前記硫黄原子を表す。）。
【００１４】
また、本発明の高分子発光素子としては、前記一般式（ＩＩ）中のＡｒ２が、下記一般式（Ｖ）で示される基であることが好ましい。
［一般式（Ｖ）］
【００１５】
【化４】
2008189759.tif 000005
【００１６】
（式（Ｖ）中、Ｒ３５及びＲ３６は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ３７及びＲ３８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｅ及びｆは同一でも又は異なっていてもよく、それぞれ０〜３の整数を表し、Ｒ３７及びＲ３８がそれぞれ複数個存在する場合、それらは同一でも又は異なっていてもよい。）。
【００１７】
さらに、本発明の高分子発光素子としては、前記一般式（ＩＩＩ）中のＡｒ２が、下記一般式（ＶＩ）で示される基であることが好ましい。
［一般式（ＶＩ）］
【００１８】
【化５】
2008189759.tif 000006
【００１９】
（式（ＶＩ）中、Ｒ３９及びＲ４０は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ４１及びＲ４２は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｇは０〜３の整数を表し、ｈは０〜５の整数を表し、Ｒ４１及びＲ４２はそれぞれ複数個存在する場合、それらは同一でも又は異なっていてもよい。）。
【００２０】
また、本発明の高分子発光素子としては、前記一般式（ＩＩＩ）中のＡｒ２が、下記一般式（ＶＩＩ）で示される基であることが好ましい。
［一般式（ＶＩＩ）］
【００２１】
【化６】
2008189759.tif 000007
【００２２】
（式（ＶＩＩ）中、Ｘは酸素原子又は硫黄原子を表し、Ｒ４３及びＲ４４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｉ及びｊは同一でも又は異なっていてもよく、それぞれ０〜３の整数を表し、Ｒ４３及びＲ４４はそれぞれ複数個存在する場合、それらは同一でも又は異なっていてもよい。）。
【００２３】
また、本発明の高分子発光素子としては、前記高分子化合物のポリスチレン換算の重量平均分子量が１０３〜１０７であることが好ましい。
【００２４】
さらに、本発明の高分子発光素子としては、前記正孔輸送層が正孔輸送材料を更に含有する層であることが好ましい。
【００２５】
また、本発明の第一の高分子化合物は、下記一般式（Ｉ）で示される繰返し単位、下記一般式（ＩＩ）で示される繰返し単位及び下記一般式（ＶＩ）で示される繰返し単位を含むことを特徴とするものである。
［一般式（Ｉ）］
【００２６】
【化７】
2008189759.tif 000008
【００２７】
（式（Ｉ）中、Ｒ１、Ｒ２、Ｒ３及びＲ４は同一でも又は異なっていてもよく、それぞれ水素原子又はアルキル基を表し、Ｒ５、Ｒ６、Ｒ７及びＲ８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ａ、ｂ、ｃ及びｄは同一でも又は異なっていてもよく、それぞれ０〜３の整数を表し、Ｒ５、Ｒ６、Ｒ７及びＲ８がそれぞれ複数個存在する場合、それらは同一でも又は異なっていてもよい。）
［一般式（ＩＩ）］
−Ａｒ１−        （ＩＩ）
（式（ＩＩ）中、Ａｒ１は２価の芳香族アミンを表す。）
［一般式（ＶＩ）］
【００２８】
【化８】
2008189759.tif 000009
【００２９】
（式（ＶＩ）中、Ｒ３９及びＲ４０は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ４１及びＲ４２は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｇは０〜３の整数を表し、ｈは０〜５の整数を表し、Ｒ４１及びＲ４２がそれぞれ複数個存在する場合、それらは同一でも又は異なっていてもよい。）。
【００３０】
また、本発明の第二の高分子化合物は、下記一般式（Ｉ）で示される繰返し単位、下記一般式（ＩＩ）で示される繰返し単位及び下記一般式（ＶＩＩ）で示される繰返し単位を含むことを特徴とするものである。
［一般式（Ｉ）］
【００３１】
【化９】
2008189759.tif 000010
【００３２】
（式（Ｉ）中、Ｒ１、Ｒ２、Ｒ３及びＲ４は同一でも又は異なっていてもよく、それぞれ水素原子又はアルキル基を表し、Ｒ５、Ｒ６、Ｒ７及びＲ８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ａ、ｂ、ｃ及びｄは同一でも又は異なっていてもよく、それぞれ０〜３の整数を表し、Ｒ５、Ｒ６、Ｒ７及びＲ８がそれぞれ複数個存在する場合、それらは同一でも又は異なっていてもよい。）
［一般式（ＩＩ）］
−Ａｒ１−        （ＩＩ）
（式（ＩＩ）中、Ａｒ１は２価の芳香族アミンを表す。）
［一般式（ＶＩＩ）］
【００３３】
【化１０】
2008189759.tif 000011
【００３４】
（式（ＶＩＩ）中、Ｘは酸素原子又は硫黄原子を表し、Ｒ４３及びＲ４４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｉ及びｊは同一でも又は異なっていてもよく、それぞれ０〜３の整数を表し、Ｒ４３及びＲ４４はそれぞれ複数個存在する場合、それらは同一でも又は異なっていてもよい。）。
【００３５】
さらに、本発明の第一及び第二の高分子化合物としては、前記一般式（ＩＩ）中のＡｒ１が、下記一般式（ＩＶ）で示される基であることが好ましい。
［一般式（ＩＶ）］
【００３６】
【化１１】
2008189759.tif 000012
【００３７】
（式（ＩＶ）中、Ｒ９〜Ｒ３４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｏ及びｐは同一でも又は異なっていてもよく、それぞれ０又は１の整数を表し、
Ｒ１０が結合している炭素及びＲ１８が結合している炭素、Ｒ１２が結合している炭素及びＲ１３が結合している炭素、Ｒ２４が結合している炭素及びＲ３４が結合している炭素、又は、Ｒ３０が結合している炭素及びＲ３１が結合している炭素がそれぞれ直接結合して或いは酸素原子又は硫黄原子を介して結合して環を形成していてもよく、このような環が形成される場合、Ｒ１０及びＲ１８、Ｒ１２及びＲ１３、Ｒ２４及びＲ３４、又は、Ｒ３０及びＲ３１はそれぞれ一緒になって、前記直接結合、前記酸素原子又は前記硫黄原子を表す。）。
【００３８】
また、本発明の第一及び第二の高分子化合物としては、ポリスチレン換算の重量平均分子量が１０３〜１０７であることが好ましい。
【００３９】
また、本発明の組成物は、上記本発明の第一及び第二の高分子化合物のうちの少なくとも１種と、発光材料及び正孔輸送材料からなる群から選ばれる少なくとも１種の材料とを含有することを特徴とするものである。
【００４０】
また、本発明の液状組成物は、上記本発明の第一及び第二の高分子化合物のうちの少なくとも１種と、溶媒とを含有することを特徴とするものである。
【００４１】
さらに、本発明の導電性薄膜は、上記本発明の第一及び第二の高分子化合物のうちのいずれかの高分子化合物を１種類以上含有することを特徴とするものである。
【発明の効果】
【００４２】
本発明によれば、十分に長い輝度半減寿命を有することが可能な高分子発光素子を提供すること、並びに、高分子発光素子の材料として用いた場合に十分に長い輝度半減寿命を有する高分子発光素子を製造することが可能な高分子化合物、それを用いた組成物、液状組成物及び導電性薄膜を提供することを目的とする。
【００４３】
したがって、本発明の高分子発光素子及び本発明の高分子化化合物を含む高分子発光素子は、液晶ディスプレイのバックライト又は照明用としての曲面状や平面状の光源、セグメントタイプの表示素子、ドットマトリックスのフラットパネルディスプレイ等に好適に使用することができる。
【発明を実施するための最良の形態】
【００４４】
以下、本発明をその好適な実施形態に即して詳細に説明する。
【００４５】
［高分子発光素子］
本発明の高分子発光素子は、陽極及び陰極との間に発光層を有し且つ該発光層と該陽極との間に正孔輸送層を有する高分子発光素子であって、
前記正孔輸送層が、下記一般式（Ｉ）で示される繰返し単位、下記一般式（ＩＩ）で示される繰返し単位及び下記一般式（ＩＩＩ）で示される繰返し単位を含む高分子化合物を含有する層であることを特徴とするものである。
［一般式（Ｉ）］
【００４６】
【化１２】
2008189759.tif 000013
【００４７】
（式（Ｉ）中、Ｒ１、Ｒ２、Ｒ３及びＲ４は同一でも又は異なっていてもよく、それぞれ水素原子又はアルキル基を表し、Ｒ５、Ｒ６、Ｒ７及びＲ８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ａ、ｂ、ｃ及びｄは同一でも又は異なっていてもよく、それぞれ０〜３の整数を表し、Ｒ５、Ｒ６、Ｒ７及びＲ８がそれぞれ複数個存在する場合、それらは同一でも又は異なっていてもよい。）
［一般式（ＩＩ）］
−Ａｒ１−        （ＩＩ）
（式（ＩＩ）中、Ａｒ１は２価の芳香族アミンを表す。）
［一般式（ＩＩＩ）］
−Ａｒ２−        （ＩＩＩ）
（式（ＩＩＩ）中、Ａｒ２はアリーレン基又は２価の複素環基を表す。）。
【００４８】
先ず、本発明にかかる高分子化合物について説明する。本発明にかかる高分子化合物は、前述のように上記一般式（Ｉ）で示される繰返し単位を含む。このような一般式（Ｉ）中のＲ１、Ｒ２、Ｒ３、Ｒ４、Ｒ５、Ｒ６、Ｒ７又はＲ８として選択され得るアルキル基としては、直鎖状、分岐鎖状又は環状のいずれのものであってもよく、更に、置換基を有していてもよい。また、このようなアルキル基としては、炭素数が１〜２０（より好ましくは１〜１０）のものが好ましく、例えば、メチル基、エチル基、プロピル基、イソプロピル基、ブチル基、イソブチル基、ｓ−ブチル基、ｔ−ブチル基、ペンチル基、ヘキシル基、シクロヘキシル基、ヘプチル基、オクチル基、２−エチルヘキシル基、ノニル基、デシル基、３，７−ジメチルオクチル基、ラウリル基、トリフルオロメチル基、ペンタフルオロエチル基、パーフルオロブチル基、パーフルオロヘキシル基、パーフルオロオクチル基等が挙げられる。
【００４９】
上記一般式（Ｉ）中のＲ５、Ｒ６、Ｒ７又はＲ８として選択され得るアルコキシ基としては、直鎖状、分岐鎖状又は環状のいずれのものであってもよく、置換基を有していてもよい。また、このようなアルコキシ基としては、炭素数が１〜２０（より好ましくは１〜１０）のものが好ましく、例えば、メトキシ基、エトキシ基、プロピルオキシ基、イソプロピルオキシ基、ブトキシ基、イソブトキシ基、ｓ−ブトキシ基、ｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基、トリフルオロメトキシ基、ペンタフルオロエトキシ基、パーフルオロブトキシ基、パーフルオロヘキシルオキシ基、パーフルオロオクチルオキシ基、メトキシメチルオキシ基、２−メトキシエチルオキシ基等が挙げられる。
【００５０】
また、上記一般式（Ｉ）中のＲ５、Ｒ６、Ｒ７又はＲ８として選択され得るアルキルチオ基としては、直鎖状、分岐鎖状又は環状のいずれのものであってもよく、置換基を有していてもよい。更に、このようなアルキルチオ基としては、炭素数が１〜２０（より好ましくは１〜１０）のものが好ましく、例えば、メチルチオ基、エチルチオ基、プロピルチオ基、イソプロピルチオ基、ブチルチオ基、イソブチルチオ基、ｓ−ブチルチオ基、ｔ−ブチルチオ基、ペンチルチオ基、ヘキシルチオ基、シクロヘキシルチオ基、ヘプチルチオ基、オクチルチオ基、２−エチルヘキシルチオ基、ノニルチオ基、デシルチオ基、３，７−ジメチルオクチルチオ基、ラウリルチオ基、トリフルオロメチルチオ基等が挙げられる。
【００５１】
さらに、上記一般式（Ｉ）中のＲ５、Ｒ６、Ｒ７又はＲ８として選択され得るアリール基としては、芳香族炭化水素から水素原子１個を除いた原子団であればよく特に制限されず、縮合環を持つものや、独立したベンゼン環又は縮合環２個以上が直接或いはビニレン等の基を介して結合したものも含まれる。このようなアリール基としては、炭素数が６〜６０（より好ましくは７〜４８）のものが好ましく、例えば、フェニル基、Ｃ１〜Ｃ１２アルコキシフェニル基（Ｃ１〜Ｃ１２は、炭素数１〜１２であることを示す。以下も同様である。）、Ｃ１〜Ｃ１２アルキルフェニル基、１−ナフチル基、２−ナフチル基、１−アントラセニル基、２−アントラセニル基、９−アントラセニル基、ペンタフルオロフェニル基等が挙げられる。このようなアリール基の中でも、Ｃ１〜Ｃ１２アルコキシフェニル基及びＣ１〜Ｃ１２アルキルフェニル基がより好ましい。
【００５２】
このようなアリール基中のＣ１〜Ｃ１２アルコキシとしては、例えば、メトキシ、エトキシ、プロピルオキシ、イソプロピルオキシ、ブトキシ、イソブトキシ、ｓ−ブトキシ、ｔ−ブトキシ、ペンチルオキシ、ヘキシルオキシ、シクロヘキシルオキシ、ヘプチルオキシ、オクチルオキシ、２−エチルヘキシルオキシ、ノニルオキシ、デシルオキシ、３，７−ジメチルオクチルオキシ、ラウリルオキシ等が挙げられる。
【００５３】
また、前記アリール基中のＣ１〜Ｃ１２アルキルフェニル基としては、例えば、メチルフェニル基、エチルフェニル基、ジメチルフェニル基、プロピルフェニル基、メシチル基、メチルエチルフェニル基、イソプロピルフェニル基、ブチルフェニル基、イソブチルフェニル基、ｔ−ブチルフェニル基、ペンチルフェニル基、イソアミルフェニル基、ヘキシルフェニル基、ヘプチルフェニル基、オクチルフェニル基、ノニルフェニル基、デシルフェニル基、ドデシルフェニル基等が挙げられる。
【００５４】
また、上記一般式（Ｉ）中のＲ５、Ｒ６、Ｒ７又はＲ８として選択され得るアリールオキシ基としては、炭素数が６〜６０（より好ましくは７〜４８）のものが好ましく、例えば、フェノキシ基、Ｃ１〜Ｃ１２アルコキシフェノキシ基、Ｃ１〜Ｃ１２アルキルフェノキシ基、１−ナフチルオキシ基、２−ナフチルオキシ基、ペンタフルオロフェニルオキシ基等が挙げられる。また、このようなアリールオキシ基の中でも、Ｃ１〜Ｃ１２アルコキシフェノキシ基及びＣ１〜Ｃ１２アルキルフェノキシ基がより好ましい。
【００５５】
前記アリールオキシ基中のＣ１〜Ｃ１２アルコキシとしては、例えば、メトキシ、エトキシ、プロピルオキシ、イソプロピルオキシ、ブトキシ、イソブトキシ、ｓ−ブトキシ、ｔ−ブトキシ、ペンチルオキシ、ヘキシルオキシ、シクロヘキシルオキシ、ヘプチルオキシ、オクチルオキシ、２−エチルヘキシルオキシ、ノニルオキシ、デシルオキシ、３，７−ジメチルオクチルオキシ、ラウリルオキシ等が挙げられる。
【００５６】
また、前記アリールオキシ基中のＣ１〜Ｃ１２アルキルフェノキシ基としては、例えば、メチルフェノキシ基、エチルフェノキシ基、ジメチルフェノキシ基、プロピルフェノキシ基、１，３，５−トリメチルフェノキシ基、メチルエチルフェノキシ基、イソプロピルフェノキシ基、ブチルフェノキシ基、イソブチルフェノキシ基、ｓ−ブチルフェノキシ基、ｔ−ブチルフェノキシ基、ペンチルフェノキシ基、イソアミルフェノキシ基、ヘキシルフェノキシ基、ヘプチルフェノキシ基、オクチルフェノキシ基、ノニルフェノキシ基、デシルフェノキシ基、ドデシルフェノキシ基等が挙げられる。
【００５７】
また、上記一般式（Ｉ）中のＲ５、Ｒ６、Ｒ７又はＲ８として選択され得るアリールチオ基としては、前述のアリール基に硫黄元素が結合したものであればよく特に制限されず、前記アリール基の芳香環上に置換基を有するものであってもよい。このようなアリールチオ基としては、炭素数が３〜６０（より好ましくは５〜３０）のものが好ましく、例えば、フェニルチオ基、Ｃ１〜Ｃ１２アルコキシフェニルチオ基、Ｃ１〜Ｃ１２アルキルフェニルチオ基、１−ナフチルチオ基、２−ナフチルチオ基、ペンタフルオロフェニルチオ基、ピリジルチオ基、ピリダジニルチオ基、ピリミジルチオ基、ピラジニルチオ基、トリアジニルチオ基等が挙げられる。
【００５８】
さらに、上記一般式（Ｉ）中のＲ５、Ｒ６、Ｒ７又はＲ８として選択され得るアリールアルキル基としては、前述のアリール基に前述のアルキル基が結合したものであればよく特に制限されず、置換基を有するものであってもよい。このようなアリールアルキル基としては、炭素数が７〜６０（より好ましくは７〜３０）のものが好ましく、例えば、フェニル−Ｃ１〜Ｃ１２アルキル基、Ｃ１〜Ｃ１２アルコキシフェニル−Ｃ１〜Ｃ１２アルキル基、Ｃ１〜Ｃ１２アルキルフェニル−Ｃ１〜Ｃ１２アルキル基、１−ナフチル−Ｃ１〜Ｃ１２アルキル基、２−ナフチル−Ｃ１〜Ｃ１２アルキル基等が挙げられる。
【００５９】
また、上記一般式（Ｉ）中のＲ５、Ｒ６、Ｒ７又はＲ８として選択され得るアリールアルコキシ基としては、前述のアリール基に前述のアルコキシ基が結合したものであればよく特に制限されず、置換基を有するものであってもよい。このようなアリールアルコキシ基としては、炭素数が７〜６０（より好ましくは７〜３０）のものが好ましく、例えば、フェニル−Ｃ１〜Ｃ１２アルコキシ基、Ｃ１〜Ｃ１２アルコキシフェニル−Ｃ１〜Ｃ１２アルコキシ基、Ｃ１〜Ｃ１２アルキルフェニル−Ｃ１〜Ｃ１２アルコキシ基、１−ナフチル−Ｃ１〜Ｃ１２アルコキシ基、２−ナフチル−Ｃ１〜Ｃ１２アルコキシ基等が挙げられる。
【００６０】
また、上記一般式（Ｉ）中のＲ５、Ｒ６、Ｒ７又はＲ８として選択され得るアリールアルキルチオ基としては、前述のアリール基に前述のアルキルチオ基が結合したものであればよく特に制限されず、置換基を有するものであってもよい。このようなアリールアルキルチオ基としては、炭素数が７〜６０（より好ましくは７〜３０）のものが好ましく、例えば、フェニル−Ｃ１〜Ｃ１２アルキルチオ基、Ｃ１〜Ｃ１２アルコキシフェニル−Ｃ１〜Ｃ１２アルキルチオ基、Ｃ１〜Ｃ１２アルキルフェニル−Ｃ１〜Ｃ１２アルキルチオ基、１−ナフチル−Ｃ１〜Ｃ１２アルキルチオ基、２−ナフチル−Ｃ１〜Ｃ１２アルキルチオ基等が挙げられる。
【００６１】
また、上記一般式（Ｉ）中のＲ５、Ｒ６、Ｒ７又はＲ８として選択され得るアリールアルケニル基としては、前述のアリール基にアルケニル基が結合したものであればよい。このようなアリールアルケニル基としては特に制限されないが、炭素数は８〜６０（より好ましくは８〜３０）のものが好ましく、フェニル−Ｃ２〜Ｃ１２アルケニル基、Ｃ１〜Ｃ１２アルコキシフェニル−Ｃ２〜Ｃ１２アルケニル基、Ｃ１〜Ｃ１２アルキルフェニル−Ｃ２〜Ｃ１２アルケニル基、１−ナフチル−Ｃ２〜Ｃ１２アルケニル基、２−ナフチル−Ｃ２〜Ｃ１２アルケニル基などが例示され、中でも、Ｃ１〜Ｃ１２アルコキシフェニル−Ｃ２〜Ｃ１２アルケニル基及びＣ２〜Ｃ１２アルキルフェニル−Ｃ２〜Ｃ１２アルケニル基がより好ましい。
【００６２】
さらに、上記一般式（Ｉ）中のＲ５、Ｒ６、Ｒ７又はＲ８として選択され得るアリールアルキニル基としては、前述のアリール基にアルキニル基が結合したものであればよい。このようなアリールアルキニル基としては特に制限されないが、炭素数が８〜６０（より好ましくは８〜３０）のものが好ましく、フェニル−Ｃ２〜Ｃ１２アルキニル基、Ｃ１〜Ｃ１２アルコキシフェニル−Ｃ２〜Ｃ１２アルキニル基、Ｃ１〜Ｃ１２アルキルフェニル−Ｃ２〜Ｃ１２アルキニル基、１−ナフチル−Ｃ２〜Ｃ１２アルキニル基、２−ナフチル−Ｃ２〜Ｃ１２アルキニル基などが例示され、中でも、Ｃ１〜Ｃ１２アルコキシフェニル−Ｃ２〜Ｃ１２アルキニル基及びＣ１〜Ｃ１２アルキルフェニル−Ｃ２〜Ｃ１２アルキニル基がより好ましい。
【００６３】
また、上記一般式（Ｉ）中のＲ５、Ｒ６、Ｒ７又はＲ８として選択され得る置換アミノ基としては特に制限されないが、アルキル基、アリール基、アリールアルキル基及び１価の複素環基からなる群から選択される１又は２個の基によって置換されたアミノ基が好ましい。また、このような置換アミノ基中のアルキル基、アリール基、アリールアルキル基又は１価の複素環基は他の置換基を有していてもよい。さらに、このような置換アミノ基の炭素数としては、前記置換基の炭素数を含まない場合において１〜６０（より好ましくは２〜４８）であることが好ましい。
【００６４】
このような置換アミノ基としては、例えば、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、イソブチルアミノ基、セカンダリブチル基、ｓ−ブチルアミノ基、ｔ−ブチルアミノ基、ペンチルアミノ基、ヘキシルアミノ基、シクロヘキシルアミノ基、ヘプチルアミノ基、オクチルアミノ基、２−エチルヘキシルアミノ基、ノニルアミノ基、デシルアミノ基、３，７−ジメチルオクチルアミノ基、ラウリルアミノ基、シクロペンチルアミノ基、ジシクロペンチルアミノ基、シクロヘキシルアミノ基、ジシクロヘキシルアミノ基、ピロリジル基、ピペリジル基、ジトリフルオロメチルアミノ基フェニルアミノ基、ジフェニルアミノ基、Ｃ１〜Ｃ１２アルコキシフェニルアミノ基、ジ（Ｃ１〜Ｃ１２アルコキシフェニル）アミノ基、ジ（Ｃ１〜Ｃ１２アルキルフェニル）アミノ基、１−ナフチルアミノ基、２−ナフチルアミノ基、ペンタフルオロフェニルアミノ基、ピリジルアミノ基、ピリダジニルアミノ基、ピリミジルアミノ基、ピラジルアミノ基、トリアジルアミノ基フェニル−Ｃ１〜Ｃ１２アルキルアミノ基、Ｃ１〜Ｃ１２アルコキシフェニル−Ｃ１〜Ｃ１２アルキルアミノ基、Ｃ１〜Ｃ１２アルキルフェニル−Ｃ１〜Ｃ１２アルキルアミノ基、ジ（Ｃ１〜Ｃ１２アルコキシフェニル−Ｃ１〜Ｃ１２アルキル）アミノ基、ジ（Ｃ１〜Ｃ１２アルキルフェニル−Ｃ１〜Ｃ１２アルキル）アミノ基、１−ナフチル−Ｃ１〜Ｃ１２アルキルアミノ基、２−ナフチル−Ｃ１〜Ｃ１２アルキルアミノ基等が挙げられる。
【００６５】
また、上記一般式（Ｉ）中のＲ５、Ｒ６、Ｒ７又はＲ８として選択され得る置換シリル基としては、アルキル基、アリール基、アリールアルキル基および１価の複素環基からなる群から選択される１〜３個の基によって置換されたシリル基が挙げられる。このような置換シリル基としては特に制限されないが、炭素数が１〜６０（より好ましくは３〜４８）のものが好ましい。なお、このような置換シリル基中のアルキル基、アリール基、アリールアルキル基又は１価の複素環基は置換基を有していてもよい。
【００６６】
このような置換シリル基としては、例えば、トリメチルシリル基、トリエチルシリル基、トリプロピルシリル基、トリ−イソプロピルシリル基、ジメチル−イソプロピリシリル基、ジエチル−イソプロピルシリル基、ｔ−ブチルシリルジメチルシリル基、ペンチルジメチルシリル基、ヘキシルジメチルシリル基、ヘプチルジメチルシリル基、オクチルジメチルシリル基、２−エチルヘキシル−ジメチルシリル基、ノニルジメチルシリル基、デシルジメチルシリル基、３，７−ジメチルオクチル−ジメチルシリル基、ラウリルジメチルシリル基、フェニル−Ｃ１〜Ｃ１２アルキルシリル基、Ｃ１〜Ｃ１２アルコキシフェニル−Ｃ１〜Ｃ１２アルキルシリル基、Ｃ１〜Ｃ１２アルキルフェニル−Ｃ１〜Ｃ１２アルキルシリル基、１−ナフチル−Ｃ１〜Ｃ１２アルキルシリル基、２−ナフチル−Ｃ１〜Ｃ１２アルキルシリル基、フェニル−Ｃ１〜Ｃ１２アルキルジメチルシリル基、トリフェニルシリル基、トリ−ｐ−キシリルシリル基、トリベンジルシリル基、ジフェニルメチルシリル基、ｔ−ブチルジフェニルシリル基、ジメチルフェニルシリル基等が挙げられる。
【００６７】
また、上記一般式（Ｉ）中のＲ５、Ｒ６、Ｒ７又はＲ８として選択され得るハロゲン原子としては、フッ素原子、塩素原子、臭素原子、及びヨウ素原子が挙げられる。
【００６８】
さらに、上記一般式（Ｉ）中のＲ５、Ｒ６、Ｒ７又はＲ８として選択され得るアシル基としては特に制限されないが、炭素数が２〜２０（より好ましくは２〜１８）のものが好ましく、例えば、アセチル基、プロピオニル基、ブチリル基、イソブチリル基、ピバロイル基、ベンゾイル基、トリフルオロアセチル基、ペンタフルオロベンゾイル基等が挙げられる。
【００６９】
また、上記一般式（Ｉ）中のＲ５、Ｒ６、Ｒ７又はＲ８として選択され得るアシルオキシ基としては特に制限されないが、炭素数が２〜２０（より好ましくは２〜１８）のものが好ましく、例えば、アセトキシ基、プロピオニルオキシ基、ブチリルオキシ基、イソブチリルオキシ基、ピバロイルオキシ基、ベンゾイルオキシ基、トリフルオロアセチルオキシ基、ペンタフルオロベンゾイルオキシ基等が挙げられる。
【００７０】
また、上記一般式（Ｉ）中のＲ５、Ｒ６、Ｒ７又はＲ８として選択され得るイミン残基としては、イミン化合物（分子内に式：−Ｎ＝Ｃ−で示される基を持つ有機化合物のことをいい、例えば、アルジミン、ケチミン及びこれらのＮ上の水素原子がアルキル基等で置換された化合物が挙げられる。）から水素原子１個を除いた残基であればよく特に制限されないが、炭素数が２〜２０（より好ましくは２〜１８）のものが好ましい。このようなイミン残基としては、例えば、下記構造式：
【００７１】
【化１３】
2008189759.tif 000014
【００７２】
で示される基が挙げられる。
【００７３】
さらに、上記一般式（Ｉ）中のＲ５、Ｒ６、Ｒ７又はＲ８として選択され得るアミド基としては特に制限されないが、炭素数が２〜２０（より好ましくは２〜１８）のものが好ましく、例えば、ホルムアミド基、アセトアミド基、プロピオアミド基、ブチロアミド基、ベンズアミド基、トリフルオロアセトアミド基、ペンタフルオロベンズアミド基、ジホルムアミド基、ジアセトアミド基、ジプロピオアミド基、ジブチロアミド基、ジベンズアミド基、ジトリフルオロアセトアミド基、ジペンタフルオロベンズアミド基等が挙げられる。
【００７４】
また、上記一般式（Ｉ）中のＲ５、Ｒ６、Ｒ７又はＲ８として選択され得る酸イミド基としては、酸イミドから窒素原子に結合した水素原子を除いて得られる残基であればよく特に制限されないが、炭素数が４〜２０（より好ましくは４〜１８）のものが好ましく、例えば、下記構造式：
【００７５】
【化１４】
2008189759.tif 000015
【００７６】
で示される基が挙げられる。
【００７７】
また、上記一般式（Ｉ）中のＲ５、Ｒ６、Ｒ７又はＲ８として選択され得る１価の複素環基とは、複素環化合物から水素原子１個を除いた残りの原子団をいう。このような１価の複素環基としては特に制限されないが、炭素数が４〜６０（より好ましくは４〜２０）のものが好ましい。なお、このような１価の複素環基の炭素数には、置換基の炭素数は含まないものとする。また、前記複素環化合物とは、環式構造をもつ有機化合物のうち、環を構成する元素が炭素原子だけでなく、酸素、硫黄、窒素、リン、ホウ素等のヘテロ原子を環内に含むものをいう。このような１価の複素環基としては、例えば、チエニル基、Ｃ１〜Ｃ１２アルキルチエニル基、ピロリル基、フリル基、ピリジル基、Ｃ１〜Ｃ１２アルキルピリジル基、ピペリジル基、キノリル基、イソキノリル基等が挙げられ、中でも、チエニル基、Ｃ１〜Ｃ１２アルキルチエニル基、ピリジル基及びＣ１〜Ｃ１２アルキルピリジル基がより好ましい。
【００７８】
また、上記一般式（Ｉ）中のＲ５、Ｒ６、Ｒ７又はＲ８として選択され得る置換カルボキシル基とは、アルキル基、アリール基、アリールアルキル基又は１価の複素環基で置換されたカルボキシル基をいう。このような置換カルボキシル基としては、炭素数が２〜６０（より好ましくは炭素数２〜４８）のものが好ましい。また、前記置換カルボキシル基中の前記アルキル基、アリール基、アリールアルキル基又は１価の複素環基は、他の置換基を有していてもよい。なお、上記炭素数には、前記置換基の炭素数は含まないものとする。このような置換カルボキシル基としては特に制限されないが、例えば、メトキシカルボニル基、エトキシカルボニル基、プロポキシカルボニル基、イソプロポキシカルボニル基、ブトキシカルボニル基、イソブトキシカルボニル基、ｓ−ブトキシカルボニル基、ｔ−ブトキシカルボニル基、ペンチルオキシカルボニル基、ヘキシロキシカルボニル基、シクロヘキシロキシカルボニル基、ヘプチルオキシカルボニル基、オクチルオキシカルボニル基、２−エチルヘキシロキシカルボニル基、ノニルオキシカルボニル基、デシロキシカルボニル基、３，７−ジメチルオクチルオキシカルボニル基、ドデシルオキシカルボニル基、トリフルオロメトキシカルボニル基、ペンタフルオロエトキシカルボニル基、パーフルオロブトキシカルボニル基、パーフルオロヘキシルオキシカルボニル基、パーフルオロオクチルオキシカルボニル基、フェノキシカルボニル基、ナフトキシカルボニル基、ピリジルオキシカルボニル基等が挙げられる。
【００７９】
また、上記一般式（Ｉ）中のＲ５、Ｒ６、Ｒ７又はＲ８としては、原料モノマーの合成の容易さの観点から、アルキル基、アルコキシ基、アリール基、アリールオキシ基、カルボキシル基又は置換カルボキシル基であることが好ましい。
【００８０】
また、上記一般式（Ｉ）中のａ、ｂ、ｃ及びｄは、それぞれ独立に０又は１であることがより好ましく、原料モノマーの合成の容易さの観点から０であることが最も好ましい。
【００８１】
さらに、上記一般式（Ｉ）中のＲ１、Ｒ２、Ｒ３およびＲ４としては、原料モノマーの合成の容易さの観点から、アルキル基であることが好ましい。
【００８２】
上記一般式（Ｉ）で示される繰返し単位の具体例としては、下記式（Ｉ−１）〜（Ｉ−９）で示される繰返し単位があげられる。
【００８３】
【化１５】
2008189759.tif 000016
【００８４】
また、本発明にかかる高分子化合物は、前述のように、上記一般式（Ｉ）で示される繰り返し単位とともに、下記一般式（ＩＩ）：
−Ａｒ１−  （ＩＩ）
（式（ＩＩ）中、Ａｒ１は２価の芳香族アミンを表す。）
で示される繰返し単位を含む。
【００８５】
上記一般式（ＩＩ）中において、２価の芳香族基アミンとは、芳香族アミンから水素原子２個を除いた残りの原子団をいい、置換基を有していてもよい。このような２価の芳香族基アミンとしては、炭素数が５〜１００（より好ましくは１５〜６０）のものが好ましい。なお、前記芳香族アミンの炭素数には、前記置換基の炭素数は含まないものとする。
【００８６】
また、このような２価の芳香族基アミンとしては、具体的には、下記一般式４０１〜４１０で示される２価の芳香族基アミンが例示される。
【００８７】
【化１６】
2008189759.tif 000017
【００８８】
（式４０１〜４１０中、Ｒは水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表す。）
前記一般式４０１〜４１０中においてＲとして選択され得るアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、置換アミノ基、置換シリル基、ハロゲン原子、アシル基、アシルオキシ基、イミン残基、アミド基、酸イミド基、１価の複素環基および置換カルボキシル基の定義及び具体例等は、前記一般式（Ｉ）中のＲ５、Ｒ６、Ｒ７及びＲ８において説明したそれらの定義、具体例等と同じである。
【００８９】
また、上記一般式（ＩＩ）で示される繰返し単位としては、輝度半減寿命が長い高分子素子が得られるという観点から、下記一般式（ＩＶ）で示される繰返し単位がより好ましい。
【００９０】
【化１７】
2008189759.tif 000018
【００９１】
（式（ＩＶ）中、Ｒ９〜Ｒ３４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｏ及びｐは同一でも又は異なっていてもよく、それぞれ０又は１の整数を表し、
Ｒ１０が結合している炭素及びＲ１８が結合している炭素、Ｒ１２が結合している炭素及びＲ１３が結合している炭素、Ｒ２４が結合している炭素及びＲ３４が結合している炭素、又は、Ｒ３０が結合している炭素及びＲ３１が結合している炭素がそれぞれ直接結合して或いは酸素原子又は硫黄原子を介して結合して環を形成していてもよく、このような環が形成される場合、Ｒ１０及びＲ１８、Ｒ１２及びＲ１３、Ｒ２４及びＲ３４、又は、Ｒ３０及びＲ３１はそれぞれ一緒になって、前記直接結合、前記酸素原子又は前記硫黄原子を表す。）。
【００９２】
前記一般式（ＩＶ）中においてＲ９〜Ｒ３４として選択され得るアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、置換アミノ基、置換シリル基、ハロゲン原子、アシル基、アシルオキシ基、イミン残基、アミド基、酸イミド基、１価の複素環基および置換カルボキシル基の定義及び具体例等は、前記一般式（Ｉ）中のＲ５、Ｒ６、Ｒ７及びＲ８において説明したそれらの定義、具体例等と同じである。
【００９３】
また、前記一般式（ＩＶ）中のＲ９〜Ｒ３４としては、原料モノマーの合成の容易さの観点から、水素原子、アルキル基、アルコキシ基、アリール基、アリールオキシ基、カルボキシル基又は置換カルボキシル基であることがより好ましく、水素原子、アルキル基、アルコキシ基又は置換カルボキシル基であることが更に好ましい。
【００９４】
また、前記一般式（ＩＶ）中のＲ１０が結合している炭素及びＲ１８が結合している炭素、又は、Ｒ２４が結合している炭素及びＲ３４が結合している炭素が、それぞれ直接結合して或いは酸素原子又は硫黄原子を介して結合して環を形成する場合（例えば、前記一般式（ＩＶ）が下記一般式（ＩＶ−５）や（ＩＶ−９）等で表される繰返し単位を示す場合）においては、原料モノマーの合成の容易さの観点から、前記各炭素が酸素原子又は硫黄原子を介して結合して環を形成していることが好ましい。
【００９５】
また、前記一般式（ＩＶ）中のＲ１２が結合している炭素及びＲ１３が結合している炭素、又は、Ｒ３０が結合している炭素及びＲ３１が結合している炭素が、それぞれ直接結合して或いは酸素原子又は硫黄原子を介して結合して環を形成する場合（例えば、前記一般式（ＩＶ）が下記一般式（ＩＶ−１７）や（ＩＶ−１８）等で表される繰返し単位を示す場合）においては、原料モノマーの合成の容易さの観点から、前記各炭素が直接結合して環を形成することが好ましい。
【００９６】
このような一般式（ＩＶ）で示される繰返し単位の具体例としては、下記一般式（ＩＶ−１）〜（ＩＶ−１８）で示される繰返し単位等があげられる。
【００９７】
【化１８】
2008189759.tif 000019
【００９８】
【化１９】
2008189759.tif 000020
【００９９】
また本発明にかかる高分子化合物は、前述のように、前記一般式（Ｉ）で示される繰り返し単位と前記一般式（ＩＩ）で示される繰返し単位とともに、下記一般式（ＩＩＩ）：
−Ａｒ２−      （ＩＩＩ）
（式（ＩＩＩ）中、Ａｒ２はアリーレン基又は２価の複素環基を表す。）
で示される繰返し単位を含む。
【０１００】
前記一般式（ＩＩＩ）中においてＡｒ２として選択され得るアリーレン基とは、芳香族炭化水素から水素原子２個を除いた原子団であり、縮合環を持つもの、独立したベンゼン環或いは縮合環２個以上が直接又はビニレン等の基を介して結合したものも含まれる。また、このようなアリーレン基は置換基を有していてもよい。このような置換基の種類は特に制限されないが、溶解性、蛍光特性、合成の行い易さ、素子にした場合の特性等の観点から、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基及びニトロ基が好ましい。
【０１０１】
このようなアリーレン基としては、原料モノマーの合成の容易さの観点から、置換基を除いた部分の炭素数が６〜６０（より好ましくは６〜２０）であるものが好ましい。また、このようなアリーレン基の置換基を含めた全炭素数は、６〜１００であることが好ましい。
【０１０２】
また、このようなアリーレン基としては、例えば、フェニレン基（例えば、下記一般式１〜３で示される基）、ナフタレンジイル基（下記一般式４〜１３で示される基）、アントラセン−ジイル基（下記一般式１４〜１９で示される基）、ビフェニル−ジイル基（下記一般式２０〜２５で示される基）、ターフェニル−ジイル基（下記一般式２６〜２８で示される基）、縮合環化合物基（下記一般式２９〜３５で示される基）、フルオレン−ジイル基（下記一般式３６〜３８で示される基）、ベンゾフルオレン−ジイル（下記一般式３９〜４６で示される基）等が挙げられる。
【０１０３】
【化２０】
2008189759.tif 000021
【０１０４】
【化２１】
2008189759.tif 000022
【０１０５】
【化２２】
2008189759.tif 000023
【０１０６】
【化２３】
2008189759.tif 000024
【０１０７】
【化２４】
2008189759.tif 000025
【０１０８】
【化２５】
2008189759.tif 000026
【０１０９】
【化２６】
2008189759.tif 000027
【０１１０】
【化２７】
2008189759.tif 000028
【０１１１】
（式１〜４６中、Ｒは水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基またはニトロ基を表す。）。
【０１１２】
また、前記一般式（ＩＩＩ）中においてＡｒ２として選択され得る２価の複素環基とは、複素環化合物から水素原子２個を除いた残りの原子団をいう。また、このような２価の複素環基は置換基を有していてもよい。また、前記複素環化合物とは、環式構造を持つ有機化合物のうち、環を構成する元素が炭素原子だけでなく、酸素、硫黄、窒素、リン、ホウ素、ヒ素などのヘテロ原子を環内に含むものをいう。このような２価の複素環基の中では、芳香族複素環基が好ましい。また、このような２価の複素環基が有していてもよい置換基の種類は特には限定されないが、溶解性、蛍光特性、合成の行いやすさ、素子にした場合の特性等の観点から、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基及びニトロ基が好ましい。
【０１１３】
また、このような２価の複素環基としては、置換基を除いた部分の炭素数が３〜６０（より好ましくは３〜２０）であるものが好ましい。また、このような２価の複素環基としては、置換基を含めた全炭素数が３〜１００（より好ましくは３〜５０）であるものが好ましい。
【０１１４】
さらに、このような２価の複素環基としては、例えば、以下の（ａ）〜（ｈ）のようなものが挙げられる。
（ａ）ヘテロ原子として、窒素を含む２価の複素環基：ピリジンージイル基（下記一般式１０１〜１０６で示される基）、ジアザフェニレン基（下記一般式１０７〜１１０で示される基）、キノリンジイル基（下記一般式１１１〜１２５で示される基）、キノキサリンジイル基（下記一般式１２６〜１３０で示される基）、アクリジンジイル基（下記一般式１３１〜１３４で示される基）、ビピリジルジイル基（下記一般式１３５〜１３７で示される基）、フェナントロリンジイル基（下記一般式１３８〜１４０で示される基）。
（ｂ）ヘテロ原子として酸素、ケイ素、窒素、硫黄、セレンなどを含みフルオレン構造を有する基（下記一般式１４１〜１５５で示される基）。
（ｃ）ヘテロ原子として酸素、ケイ素、窒素、硫黄、セレン、ホウ素、リンなどを含む５員環複素環基（下記一般式１５６〜１７５で示される基）。
（ｄ）ヘテロ原子として酸素、ケイ素、窒素、セレンなどを含む５員環縮合複素基（下記一般式１７６〜１８７で示される基）。
（ｅ）ヘテロ原子として酸素、ケイ素、窒素、硫黄、セレンなどを含む５員環複素環基でそのヘテロ原子のα位で結合し２量体やオリゴマーになっている基（下記一般式１８８〜１８９で示される基）。
（ｆ）ヘテロ原子として酸素、ケイ素、窒素、硫黄、セレンなどを含む５員環複素環基でそのヘテロ原子のα位でフェニル基に結合している基（下記一般式１９０〜１９６で示される基）。
（ｇ）ヘテロ原子として酸素、窒素、硫黄、セレンなどを含む５員環縮合複素環基にフェニル基やフリル基、チエニル基が置換した基（下記一般式１９７〜２０２で示される基）。
（ｈ）ヘテロ原子として酸素、窒素などを含む６員環複素環基（下記一般式２０３〜２０６で示される基）。
【０１１５】
【化２８】
2008189759.tif 000029
【０１１６】
【化２９】
2008189759.tif 000030
【０１１７】
【化３０】
2008189759.tif 000031
【０１１８】
【化３１】
2008189759.tif 000032
【０１１９】
【化３２】
2008189759.tif 000033
【０１２０】
【化３３】
2008189759.tif 000034
【０１２１】
【化３４】
2008189759.tif 000035
【０１２２】
【化３５】
2008189759.tif 000036
【０１２３】
【化３６】
2008189759.tif 000037
【０１２４】
【化３７】
2008189759.tif 000038
【０１２５】
【化３８】
2008189759.tif 000039
【０１２６】
【化３９】
2008189759.tif 000040
【０１２７】
【化４０】
2008189759.tif 000041
【０１２８】
【化４１】
2008189759.tif 000042
【０１２９】
【化４２】
2008189759.tif 000043
【０１３０】
【化４３】
2008189759.tif 000044
【０１３１】
【化４４】
2008189759.tif 000045
【０１３２】
（式１０１〜２０６中、Ｒは水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基及びニトロ基を表す。）。
【０１３３】
前記一般式１〜４６及び前記一般式１０１〜２０６中においてＲとして選択され得るアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、置換アミノ基、置換シリル基、ハロゲン原子、アシル基、アシルオキシ基、イミン残基、アミド基、酸イミド基、１価の複素環基および置換カルボキシル基の定義及び具体例等は、前記一般式（Ｉ）中のＲ５、Ｒ６、Ｒ７及びＲ８において説明したそれらの定義及び具体例等と同じである。
【０１３４】
また、上記一般式（ＩＩＩ）中のＡｒ２がアリーレン基である場合においては、発光素子の材料として用いた場合に半減寿命がより長い発光素子が得られるという観点から、下記一般式（Ｖ）で示される繰返し単位が好ましい。
【０１３５】
【化４５】
2008189759.tif 000046
【０１３６】
（式（Ｖ）中、Ｒ３５及びＲ３６は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ３７及びＲ３８は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｅ及びｆは同一でも又は異なっていてもよく、それぞれ０〜３の整数を表し、Ｒ３７及びＲ３８がそれぞれ複数個存在する場合、それらは同一でも又は異なっていてもよい。）。
【０１３７】
前記一般式（Ｖ）中においてＲ３５、Ｒ３６、Ｒ３７又はＲ３８として選択され得るアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、置換アミノ基、置換シリル基、ハロゲン原子、アシル基、アシルオキシ基、イミン残基、アミド基、酸イミド基、１価の複素環基および置換カルボキシル基の定義及び具体例等は、前記一般式（Ｉ）中のＲ５、Ｒ６、Ｒ７及びＲ８において説明したそれらの定義及び具体例等と同じである。
【０１３８】
前記一般式（Ｖ）中のＲ３５及びＲ３６としては、前記高分子化合物の有機溶媒への溶解度向上の観点から、それぞれ独立に、アルキル基、アルコキシ基、アリール基、アリールオキシ基、アリールアルキル基、アリールアルコキシ基、アリールアルケニル基又は１価の複素環基であることが好ましく、アルキル基、アルコキシ基、アリール基又はアリールオキシ基であることがより好ましく、アルキル基又はアリール基であることが特に好ましい。
【０１３９】
前記一般式（Ｖ）中のＲ３７及びＲ３８としては、原料モノマーの合成の容易さの観点から、それぞれ独立に、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基又は１価の複素環基であることが好ましく、アルキル基、アルコキシ基、アルキルチオ基、アリール基、アリールオキシ基、アリールチオ基、アリールアルキル基、アリールアルコキシ基又はアリールアルキルチオ基であることがより好ましく、アルキル基、アルコキシ基、アリール基又はアリールオキシ基であることが更に好ましく、アルキル基又はアリール基であることが特に好ましい。
【０１４０】
前記一般式（Ｖ）中のｅ及びｆとしては、原料モノマーの合成の容易さの観点から、それぞれ独立に、０又は１の整数であることが好ましく、０であることが特に好ましい。
【０１４１】
また、このような一般式（Ｖ）で示される繰返し単位としては、例えば、下記式（Ｖ−１）〜（Ｖ−８）で示される繰返し単位が挙げられる。
【０１４２】
【化４６】
2008189759.tif 000047
【０１４３】
また、前記一般式（ＩＩＩ）中のＡｒ２がアリーレン基である場合においては、発光素子の材料として用いた場合に輝度半減寿命がより長い発光素子が得られるという観点から、下記一般式（ＶＩ）で示される繰返し単位が好ましい。
【０１４４】
【化４７】
2008189759.tif 000048
【０１４５】
（式（ＶＩ）中、Ｒ３９及びＲ４０は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、Ｒ４１及びＲ４２は同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｇは０〜３の整数を表し、ｈは０〜５の整数を表し、Ｒ４１及びＲ４２はそれぞれ複数個存在する場合、それらは同一でも又は異なっていてもよい。）。
【０１４６】
前記一般式（ＶＩ）中においてＲ３９、Ｒ４０、Ｒ４１又はＲ４２として選択され得るアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、置換アミノ基、置換シリル基、ハロゲン原子、アシル基、アシルオキシ基、イミン残基、アミド基、酸イミド基、１価の複素環基および置換カルボキシル基の定義及び具体例等は、前記一般式（Ｉ）中のＲ５、Ｒ６、Ｒ７及びＲ８において説明したそれらの定義及び具体例等と同じである。
【０１４７】
前記一般式（ＶＩ）中のＲ３９及びＲ４０としては、前記高分子化合物の有機溶媒への溶解度向上の観点から、それぞれ独立に、アルキル基、アルコキシ基、アリール基、アリールオキシ基、アリールアルキル基、アリールアルコキシ基、アリールアルケニル基又は１価の複素環基であることが好ましく、アルキル基、アルコキシ基、アリール基又はアリールオキシ基であることがより好ましく、アルキル基又はアリール基であることが特に好ましい。
【０１４８】
また、前記一般式（ＶＩ）中のＲ４１及びＲ４２としては、原料モノマーの合成の容易さの観点から、それぞれ独立に、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基又は１価の複素環基であることが好ましく、アルキル基、アルコキシ基、アルキルチオ基、アリール基、アリールオキシ基、アリールチオ基、アリールアルキル基、アリールアルコキシ基又はアリールアルキルチオ基であることがより好ましく、アルキル基、アルコキシ基、アリール基又はアリールオキシ基であることが更に好ましく、アルキル基又はアリール基であることが特に好ましい。
【０１４９】
前記一般式（ＶＩ）中のｇとしては、原料モノマーの合成の容易さの観点から、０又は１の整数であることが好ましく、０であることが特に好ましい。
【０１５０】
前記一般式（ＶＩ）中のｈとしては、原料モノマーの合成の容易さの観点から、０又は１の整数であることが好ましく、０であることが特に好ましい。
【０１５１】
また、このような一般式（ＶＩ）で示される繰返し単位としては、例えば、下記式（ＶＩ−１）〜（ＶＩ−８）で示される繰返し単位が挙げられる。
【０１５２】
【化４８】
2008189759.tif 000049
【０１５３】
さらに、前記一般式（ＩＩＩ）中のＡｒ２が２価の複素環基である場合においては、発光素子の材料として用いた場合に半減寿命がより長い発光素子が得られるという観点から、下記一般式（ＶＩＩ）で示される繰返し単位が好ましい。
【０１５４】
【化４９】
2008189759.tif 000050
【０１５５】
（式（ＶＩＩ）中、Ｘは酸素原子又は硫黄原子を表し、Ｒ４３及びＲ４４は同一でも又は異なっていてもよく、それぞれ水素原子、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、ｉ及びｊは同一でも又は異なっていてもよく、それぞれ０〜３の整数を表し、Ｒ４３及びＲ４４はそれぞれ複数個存在する場合、それらは同一でも又は異なっていてもよい。）。
【０１５６】
前記一般式（ＶＩＩ）中においてＲ４３又はＲ４４として選択され得るアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、置換アミノ基、置換シリル基、ハロゲン原子、アシル基、アシルオキシ基、イミン残基、アミド基、酸イミド基、１価の複素環基および置換カルボキシル基の定義及び具体例等は、前記一般式（Ｉ）中のＲ５、Ｒ６、Ｒ７及びＲ８において説明したそれらの定義及び具体例等と同じである。
【０１５７】
前記一般式（ＶＩＩ）中のＲ４３及びＲ４４としては、原料モノマーの合成の容易さの観点から、それぞれ独立に、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基又は１価の複素環基であることが好ましく、アルキル基、アルコキシ基、アルキルチオ基、アリール基、アリールオキシ基、アリールチオ基、アリールアルキル基、アリールアルコキシ基又はアリールアルキルチオ基であることがより好ましく、アルキル基、アルコキシ基、アリール基又はアリールオキシ基であることが更に好ましく、アルキル基又はアルコキシ基であることが特に好ましい。
【０１５８】
前記一般式（ＶＩＩ）中のｉ及びｊとしては、原料モノマーの合成の容易さの観点から、それぞれ独立に、０又は１の整数であることが好ましく、前記高分子化合物の有機溶媒への溶解度向上の観点から、１であることが特に好ましい。
【０１５９】
前記一般式（ＶＩＩ）で示される繰返し単位としては、例えば、下記式（ＶＩＩ−１）〜（ＶＩＩ−８）で示される繰返し単位が挙げられる。
【０１６０】
【化５０】
2008189759.tif 000051
【０１６１】
また、前記一般式（Ｖ）、（ＶＩ）、（ＶＩＩ）で示される繰返し単位の中では、高分子発光素子の輝度半減寿命が長いという観点から、前記一般式（Ｖ）で示される繰返し単位がより好ましい。
【０１６２】
また、本発明にかかる高分子化合物は、前記一般式（Ｉ）で示される繰返し単位、前記一般式（ＩＩ）で示される繰返し単位及び前記一般式（ＩＩＩ）で示される繰返し単位をそれぞれ２種以上含んでいてもよい。
【０１６３】
更に、本発明にかかる高分子化合物は、電荷の輸送性を変化させる観点や耐熱性を向上させる観点等から、前記一般式（Ｉ）〜（ＩＩＩ）で示される繰り返し単位に加え、それ以外の他の繰り返し単位を少なくとも１種類以上含んでいてもよい。このような他の繰り返し単位としては、下記一般式（Ａ）：
−Ａｒａ−      （Ａ）
（式中、Ａｒａはそれぞれ独立にアリーレン基又は２価の複素環基を示す。）
で示される繰り返し単位が好ましい。
【０１６４】
また、このような一般式（Ａ）で示される繰り返し単位としては、下記一般式（Ｂ）、下記一般式（Ｃ）、下記一般式（Ｄ）又は下記一般式（Ｅ）で示される繰り返し単位が好ましい。
【０１６５】
【化５１】
2008189759.tif 000052
【０１６６】
（式（Ｂ）中、Ｒａは、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、αは０〜４の整数を表し、Ｒａが複数個存在する場合、それらは同一でも又は異なっていてもよい。）。
【０１６７】
【化５２】
2008189759.tif 000053
【０１６８】
（式（Ｃ）中、Ｒｂ及びＲｃは同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、β及びχは同一でも又は異なっていてもよく、それぞれ０〜３の整数を表し、Ｒｂ及びＲｃがそれぞれ複数個存在する場合、それらは同一でも又は異なっていてもよい。）。
【０１６９】
【化５３】
2008189759.tif 000054
【０１７０】
（式（Ｄ）中、Ｒｄは、アルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、δは０〜２の整数を表し、Ａｒｂ及びＡｒｃは同一でも又は異なっていてもよく、それぞれアリーレン基、２価の複素環基又は金属錯体構造を有する２価の基を表し、ε及びφは同一でも又は異なっていてもよく、それぞれ０又は１の整数を表し、Ｚ１は、Ｏ、Ｓ、ＳＯ、ＳＯ２、Ｓｅ、又はＴｅを表し、Ｒｄが複数個存在する場合、それらは同一でも又は異なっていてもよい。）。
【０１７１】
【化５４】
2008189759.tif 000055
【０１７２】
（式（Ｅ）中、Ｒｅ及びＲｆは同一でも又は異なっていてもよく、それぞれアルキル基、アルコキシ基、アルキルチオ基、アリール基、アリールオキシ基、アリールチオ基、アリールアルキル基、アリールアルコキシ基、アリールアルキルチオ基、アリールアルケニル基、アリールアルキニル基、アミノ基、置換アミノ基、シリル基、置換シリル基、ハロゲン原子、アシル基、アシルオキシ基、イミン残基、アミド基、酸イミド基、１価の複素環基、カルボキシル基、置換カルボキシル基、シアノ基又はニトロ基を表し、γ及びηは同一でも又は異なっていてもよく、それぞれ０〜４の整数を表し、Ｚ２は、Ｏ、Ｓ、ＳＯ２、Ｓｅ、Ｔｅ、Ｎ−Ｒｇ、又はＳｉＲｈＲｉを表し、Ｚ３及びＺ４は同一でも又は異なっていてもよく、それぞれＮ又はＣ−Ｒｊを表し、Ｒｇ、Ｒｈ、Ｒｉ及びＲｊは同一でも又は異なっていてもよく、それぞれ水素原子、アルキル基、アリール基、アリールアルキル基又は１価の複素環基を表し、Ｒｅ及びＲｆが複数個存在する場合、それらは同一でも又は異なっていてもよい。）
また、前記一般式（Ｅ）で示される繰り返し単位の中央の５員環としては、例えば、チアジアゾール、オキサジアゾール、トリアゾール、チオフェン、フラン、シロール等が挙げられる。
【０１７３】
また、本発明にかかる高分子化合物中における前記一般式（Ｉ）〜（ＩＩＩ）で示される繰り返し単位の含有割合としては、原料モノマーの添加量を基準として、一般式（Ｉ）で示される繰り返し単位が０．０２モル％〜３０モル％（より好ましくは０．１モル％〜２０モル％）の範囲であることが好ましく、一般式（ＩＩ）で示される繰り返し単位が１０モル％〜９０モル％（より好ましくは１０モル％〜８０モル％）の範囲であることが好ましく、一般式（ＩＩＩ）で示される繰り返し単位が５モル％〜９５モル％（より好ましくは１０モル％〜８０モル％）の範囲であることが好ましい。
【０１７４】
このような高分子化合物中における一般式（Ｉ）で示される繰り返し単位の含有割合が前記下限未満では、高分子発光素子の輝度半減寿命が短寿命となる傾向にあり、他方、前記上限を超えると、得られる高分子化合物の有機溶媒に対する溶解度が低下する傾向にある。
【０１７５】
また、前記高分子化合物中における一般式（ＩＩ）で示される繰り返し単位の含有割合が前記下限未満では、高分子発光素子の正孔輸送性が低くなり、発光効率が低下する傾向にあり、他方、前記上限を超えると、得られる高分子化合物の有機溶媒に対する溶解度が低下する傾向にある。
【０１７６】
さらに、前記高分子化合物中における一般式（ＩＩＩ）で示される繰り返し単位の含有割合が前記下限未満では、得られる高分子化合物の有機溶媒に対する溶解度が低下する傾向にあり、他方、前記上限を超えると、高分子発光素子の正孔輸送性が低くなり、発光効率が低下する傾向にある。
【０１７７】
また、本発明にかかる高分子化合物は、高分子発光素子の寿命特性の観点から、ポリスチレン換算の数平均分子量が１０３〜１０８であることが好ましく、１０３〜１０７であることがより好ましく、１０４〜１０７であることがさらに好ましく、また、ポリスチレン換算の重量平均分子量が１０３〜１０７であることが好ましく、１０３〜１０６であることがより好ましく、１０４〜１０６であることがさらに好ましい。
【０１７８】
なお、本発明において「数平均分子量」及び「重量平均分子量」は、サイズエクスクルージョンクロマトグラフィー（ＳＥＣ）（島津製作所製：ＬＣ−１０Ａｖｐ）を用いて、ポリスチレン換算の数平均分子量及び重量平均分子量として求める。また、測定する試料は、約０．５ｗｔ％の濃度になるようにテトラヒドロフランに溶解させ、ＧＰＣに５０μＬ注入する。更に、ＧＰＣの移動相としてはテトラヒドロフランを用い、０．６ｍＬ／ｍｉｎの流速で流している。また、カラムとしては、ＴＳＫｇｅｌ  ＳｕｐｅｒＨＭ−Ｈ（東ソー製）２本とＴＳＫｇｅｌ  ＳｕｐｅｒＨ２０００（東ソー製）１本を直列に繋げたものを用いる。また、検出器には示差屈折率検出器（島津製作所製：ＲＩＤ−１０Ａ）を用いる。
【０１７９】
また、本発明にかかる高分子化合物は、ランダム、ブロック又はグラフト共重合体であってもよいし、それらの中間的な構造を有する高分子、例えばブロック性を帯びたランダム共重合体であってもよい。また、このような高分子化合物としては、蛍光又はりん光の量子収率の高い高分子発光体を得るという観点からは、完全なランダム共重合体よりブロック性を帯びたランダム共重合体やブロック又はグラフト共重合体が好ましい。なお、このような共重合体には、主鎖に枝分かれがあり、末端部が３つ以上ある場合やデンドリマーも含まれる。
【０１８０】
また、本発明にかかる高分子化合物においては、末端基に重合活性基がそのまま残っていると本発明の高分子発光素子の発光特性や寿命特性が低下する可能性があるため、末端基が安定な基で保護されていてもよい。このように安定な基で末端基が保護されている場合には、主鎖の共役構造と連続した共役結合を有していることが好ましく、その構造としては、例えば、炭素―炭素結合を介してアリール基又は複素環基と結合している構造が挙げられる。このような末端基を保護する安定な基としては、例えば、特開平９−４５４７８号公報において化１０の構造式で示される１価の芳香族化合物基等の置換基が挙げられる。
【０１８１】
次に、本発明にかかる高分子化合物を製造する方法について説明する。本発明にかかる高分子化合物を製造するための好適な方法としては、例えば、下記一般式（Ｘ）：
Ｙ１−Ａ−Ｙ２      （Ｘ）
（式中、−Ａ−は、前記一般式（Ｉ）〜（ＩＩＩ）で示される繰返し単位又は前記一般式（Ａ）中のＡｒａで示される繰返し単位を表し、Ｙ１及びＹ２は同一でも又は異なっていてもよく、それぞれ縮合重合可能な置換基を表す。）
で示される化合物を原料の一つとして適宜選択して用い、中でも、前記一般式（Ｘ）中の−Ａ−が前記一般式（Ｉ）、（ＩＩ）及び（ＩＩＩ）で示される繰返し単位である化合物をそれぞれ必須成分として含有させて、これを縮合重合させる方法を挙げることができる。
【０１８２】
また、本発明にかかる高分子化合物中に上記式（Ｘ）中の−Ａ−で示される繰り返し単位とともに、前記−Ａ−以外の他の繰り返し単位を含有させる場合には、前記−Ａ−以外の他の繰り返し単位となる、２個の縮合重合に関与する置換基を有する化合物を用い、これを前記式（Ｘ）で示される化合物とともに共存させて縮合重合させればよい。
【０１８３】
このような他の繰り返し単位を含有させるために用いられる２個の縮合重合可能な置換基を有する化合物としては、下記式（ＸＩ）：
Ｙ３−Ａｒａ−Ｙ４        （ＸＩ）
（式中、Ａｒａは前述のものと同義であり、Ｙ３及びＹ４はそれぞれ独立に縮合重合に関与する置換基を示す。）
で示される化合物が例示される。このようにして、前記Ｙ１−Ａ−Ｙ２で示される化合物に加えて、前記Ｙ３−Ａｒａ−Ｙ４で示される化合物を縮合重合させることで、−Ａｒａ−で示される繰り返し単位を更に有する本発明にかかる高分子化合物を製造することができる。
【０１８４】
また、上記一般式（Ｉ）、（ＩＩ）、（ＩＩＩ）で示される繰返し単位以外の他の繰り返し単位となる上記式（Ｅ）に対応する２個の重合縮合に関与する置換基を有する化合物としては、下記一般式（Ｈ）で示される化合物が挙げられる。
【０１８５】
【化５５】
2008189759.tif 000056
【０１８６】
（式（Ｈ）中、Ｒｂ、Ｒｃ、β及びχは、前記式（Ｅ）で説明したＲｂ、Ｒｃ、β及びχと同義であり、Ｙ５およびＹ６はそれぞれ独立に縮合重合に関与する置換基を示す。）
このような縮合重合に関与する置換基（Ｙ１、Ｙ２、Ｙ３、Ｙ４、Ｙ５及びＹ６）としては、ハロゲン原子、アルキルスルホネート基、アリールスルホネート基、アリールアルキルスルホネート基、ホウ酸エステル基、スルホニウムメチル基、ホスホニウムメチル基、ホスホネートメチル基、モノハロゲン化メチル基、−Ｂ（ＯＨ）２、ホルミル基、シアノ基又はビニル基等が挙げられる。
【０１８７】
このような縮合重合に関与する置換基として選択され得るハロゲン原子としては、フッ素原子、塩素原子、臭素原子又はヨウ素原子が挙げられる。
【０１８８】
また、前記縮合重合に関与する置換基として選択され得るアルキルスルホネート基としては、メタンスルホネート基、エタンスルホネート基、トリフルオロメタンスルホネート基などが例示され、アリールスルホネート基としては、ベンゼンスルホネート基、ｐ−トルエンスルホネート基などが例示され、アリールスルホネート基としては、ベンジルスルホネート基等が例示される。
【０１８９】
また、前記縮合重合に関与する置換基として選択され得るホウ酸エステル基としては、下記式：
【０１９０】
【化５６】
2008189759.tif 000057
【０１９１】
（式中、Ｍｅはメチル基を表し、Ｅｔはエチル基を表す。）
で示される基が例示される。
【０１９２】
さらに、前記縮合重合に関与する置換基として選択され得るスルホニウムメチル基としては、下記式：
−ＣＨ２Ｓ＋Ｍｅ２Ｘ−、又は、−ＣＨ２Ｓ＋Ｐｈ２Ｘ−
（Ｘはハロゲン原子を示し、Ｐｈはフェニル基を示す。）
で示される基が例示される。
【０１９３】
また、前記縮合重合に関与する置換基として選択され得るホスホニウムメチル基としては、下記式：
−ＣＨ２Ｐ＋Ｐｈ３Ｘ−
（Ｘはハロゲン原子を示す。）
で示される基が例示される。
【０１９４】
また、前記縮合重合に関与する置換基として選択され得るホスホネートメチル基としては、下記式：
−ＣＨ２ＰＯ（ＯＲ’）２
（Ｘはハロゲン原子を示し、Ｒ’はアルキル基、アリール基、アリールアルキル基を示す。）
で示される基が例示される。
【０１９５】
さらに、前記縮合重合に関与する置換基として選択され得るモノハロゲン化メチル基としては、フッ化メチル基、塩化メチル基、臭化メチル基またはヨウ化メチル基が例示される。
【０１９６】
さらに、縮合重合に関与する置換基として好適な置換基としては、重合反応の種類によって異なるものであり一概には言えないが、例えば、Ｙａｍａｍｏｔｏカップリング反応など０価ニッケル錯体を用いる場合には、ハロゲン原子、アルキルスルホネート基、アリールスルホネート基またはアリールアルキルスルホネート基が挙げられる。また、Ｓｕｚｕｋｉカップリング反応などニッケル触媒又はパラジウム触媒を用いる場合には、アルキルスルホネート基、ハロゲン原子、ホウ酸エステル基、−Ｂ（ＯＨ）２等が挙げられる。
【０１９７】
本発明にかかる高分子化合物を製造する際には、例えば、縮合重合に関与する置換基を複数有する前記一般式（Ｘ）や（ＸＩ）で示される化合物（モノマー）を、必要に応じて有機溶媒に溶解し、アルカリや適当な触媒を適宜用いて、有機溶媒の融点以上沸点以下の温度で反応させる重合方法を採用してもよい。このような重合方法としては、例えば、“オルガニック  リアクションズ（Ｏｒｇａｎｉｃ  Ｒｅａｃｔｉｏｎｓ）”，第１４巻，２７０−４９０頁，ジョンワイリー  アンド  サンズ（Ｊｏｈｎ  Ｗｉｌｅｙ＆Ｓｏｎｓ，Ｉｎｃ．），１９６５年、“オルガニック  シンセシス（Ｏｒｇａｎｉｃ  Ｓｙｎｔｈｅｓｅｓ）”，コレクティブ第６巻（Ｃｏｌｌｅｃｔｉｖｅ  Ｖｏｌｕｍｅ  ＶＩ），４０７−４１１頁，ジョンワイリー  アンド  サンズ（Ｊｏｈｎ  Ｗｉｌｅｙ＆Ｓｏｎｓ，Ｉｎｃ．），１９８８年、ケミカル  レビュー（Ｃｈｅｍ．Ｒｅｖ．），第９５巻，２４５７頁（１９９５年）、ジャーナル  オブ  オルガノメタリック  ケミストリー（Ｊ．Ｏｒｇａｎｏｍｅｔ．Ｃｈｅｍ．），第５７６巻，１４７頁（１９９９年）、マクロモレキュラー  ケミストリー  マクロモレキュラー  シンポジウム（Ｍａｃｒｏｍｏｌ．Ｃｈｅｍ．，Ｍａｃｒｏｍｏｌ．Ｓｙｍｐ．），第１２巻，２２９頁（１９８７年）等に記載の公知の方法を適宜採用することができる。
【０１９８】
また、本発明にかかる高分子化合物をブロック共重合体とする場合においては、ＷＯ２００５／３６６６６号パンフレットに記載された方法等の公知の方法を適宜採用することができる。
【０１９９】
また、本発明にかかる高分子化合物を製造する際には、縮合重合に関与する置換基に応じて、既知の縮合重合反応を適宜採用してもよい。このような重合方法としては、例えば該当するモノマーを、Ｓｕｚｕｋｉカップリング反応により重合する方法、Ｇｒｉｇｎａｒｄ反応により重合する方法、Ｎｉ（０）錯体により重合する方法、ＦｅＣｌ３等の酸化剤により重合する方法、電気化学的に酸化重合する方法、または適当な脱離基を有する中間体高分子の分解による方法等が挙げられる。このような重合反応の中でも、Ｓｕｚｕｋｉカップリング反応により重合する方法、Ｇｒｉｇｎａｒｄ反応により重合する方法、及びニッケルゼロ価錯体により重合する方法が、得られる高分子化合物の構造制御がし易いので好ましい。
【０２００】
さらに、本発明にかかる高分子化合物を製造する際には、縮合重合に関与する置換基（Ｙ１及びＹ２）がそれぞれ独立にハロゲン原子、アルキルスルホネート基、アリールスルホネート基又はアリールアルキルスルホネート基から選択され、且つニッケルゼロ価錯体存在下で縮合重合して高分子化合物を製造する方法を採用することが好ましい。このような方法に使用する前記一般式（Ｘ）で示される原料化合物としては、例えば、ジハロゲン化化合物、ビス（アルキルスルホネート）化合物、ビス（アリールスルホネート）化合物、ビス（アリールアルキルスルホネート）化合物、ハロゲン−アルキルスルホネート化合物、ハロゲン−アリールスルホネート化合物、ハロゲン−アリールアルキルスルホネート化合物、アルキルスルホネート−アリールスルホネート化合物、アルキルスルホネート−アリールアルキルスルホネート化合物、およびアリールスルホネート−アリールアルキルスルホネート化合物が挙げられる。
【０２０１】
このような原料化合物を用いて前記高分子化合物を製造する方法の一例としては、ハロゲン−アルキルスルホネート化合物、ハロゲン−アリールスルホネート化合物、ハロゲン−アリールアルキルスルホネート化合物、アルキルスルホネート−アリールスルホネート化合物、アルキルスルホネート−アリールアルキルスルホネート化合物、又はアリールスルホネート−アリールアルキルスルホネート化合物を用いることにより、シーケンスを制御した高分子化合物を製造する方法が挙げられる。
【０２０２】
また、本発明にかかる高分子化合物を製造する際には、縮合重合に関与する置換基（Ｙ１及びＹ２）がそれぞれ独立に、ハロゲン原子、アルキルスルホネート基、アリールスルホネート基、アリールアルキルスルホネート基、ホウ酸基、又はホウ酸エステル基から選ばれ、全原料化合物が有する、ハロゲン原子、アルキルスルホネート基、アリールスルホネート基及びアリールアルキルスルホネート基のモル数の合計（Ｊ）と、ホウ酸基（−Ｂ（ＯＨ）２）及びホウ酸エステル基のモル数の合計（Ｋ）の比が実質的に１（通常  Ｋ／Ｊ  は０．７〜１．２の範囲）であり、且つニッケル触媒又はパラジウム触媒を用いて縮合重合して高分子化合物を製造する方法を採用することが好ましい。
【０２０３】
このような高分子化合物の製造方法を採用する場合における具体的な原料化合物の組み合わせとしては、ジハロゲン化化合物、ビス（アルキルスルホネート）化合物、ビス（アリールスルホネート）化合物又はビス（アリールアルキルスルホネート）化合物とジホウ酸化合物又はジホウ酸エステル化合物との組み合わせが挙げられる。また、他の原料化合物の組み合わせとしては、ハロゲン−ホウ酸化合物、ハロゲン−ホウ酸エステル化合物、アルキルスルホネート−ホウ酸化合物、アルキルスルホネート−ホウ酸エステル化合物、アリールスルホネート−ホウ酸化合物、アリールスルホネート−ホウ酸エステル化合物、アリールアルキルスルホネート−ホウ酸化合物、アリールアルキルスルホネート−ホウ酸エステル化合物が挙げられる。
【０２０４】
また、このような原料化合物を用いて前記高分子化合物を製造する方法の一例としては、ハロゲン−ホウ酸化合物、ハロゲン−ホウ酸エステル化合物、アルキルスルホネート−ホウ酸化合物、アルキルスルホネート−ホウ酸エステル化合物、アリールスルホネート−ホウ酸化合物、アリールスルホネート−ホウ酸エステル化合物、アリールアルキルスルホネート−ホウ酸化合物、アリールアルキルスルホネート−ホウ酸エステル化合物を用いることにより、シーケンスを制御した高分子化合物を製造する方法が挙げられる。
【０２０５】
また、前記有機溶媒としては、用いる化合物や反応によっても異なるが、一般に副反応を抑制するために十分に脱酸素処理を施したものを用いることが好ましく、高分子化合物を製造する際には、このような有機溶媒を用いて不活性雰囲気下で反応を進行させることが好ましい。また、前記有機溶媒においては、前記脱酸素処理と同様に脱水処理を行うことが好ましい。但し、Ｓｕｚｕｋｉカップリング反応のような水との２相系での反応の場合にはその限りではない。
【０２０６】
また、このような有機溶媒としては、ペンタン、ヘキサン、ヘプタン、オクタン、シクロヘキサンなどの飽和炭化水素、ベンゼン、トルエン、エチルベンゼン、キシレンなどの不飽和炭化水素、四塩化炭素、クロロホルム、ジクロロメタン、クロロブタン、ブロモブタン、クロロペンタン、ブロモペンタン、クロロヘキサン、ブロモヘキサン、クロロシクロヘキサン、ブロモシクロヘキサンなどのハロゲン化飽和炭化水素、クロロベンゼン、ジクロロベンゼン、トリクロロベンゼンなどのハロゲン化不飽和炭化水素、メタノール、エタノール、プロパノール、イソプロパノール、ブタノール、ｔ−ブチルアルコールなどのアルコール類、蟻酸、酢酸、プロピオン酸などのカルボン酸類、ジメチルエーテル、ジエチルエーテル、メチル−ｔ−ブチルエーテル、テトラヒドロフラン、テトラヒドロピラン、ジオキサンなどのエーテル類、トリメチルアミン、トリエチルアミン、Ｎ，Ｎ，Ｎ’，Ｎ’−テトラメチルエチレンジアミン、ピリジンなどのアミン類、Ｎ，Ｎ−ジメチルホルムアミド、Ｎ，Ｎ−ジメチルアセトアミド、Ｎ，Ｎ−ジエチルアセトアミド、Ｎ−メチルモルホリンオキシドなどのアミド類等が例示される。これらの有機溶媒は１種を単独で、又は２種以上を混合して用いてもよい。また、このような有機溶媒の中でも、エーテル類がより好ましく、テトラヒドロフラン、ジエチルエーテルが更に好ましい。
【０２０７】
また、本発明にかかる高分子化合物を製造する際においては、原料化合物を反応させるために適宜アルカリや適当な触媒を添加することが好ましい。このようなアルカリ又は触媒は、採用する重合方法等に応じて選択すればよい。このようなアルカリ又は触媒としては、反応に用いる溶媒に十分に溶解するものが好ましい。また、前記アルカリ又は触媒を混合する方法としては、反応液をアルゴンや窒素などの不活性雰囲気下で攪拌しながらゆっくりとアルカリ又は触媒の溶液を添加するか、逆にアルカリ又は触媒の溶液に反応液をゆっくりと添加する方法が例示される。
【０２０８】
次に、本発明にかかる正孔輸送層や陽極等について説明する。
【０２０９】
本発明の高分子発光素子は、上述のように、陽極及び陰極との間に発光層を有し且つ該発光層と該陽極との間に正孔輸送層を有する高分子発光素子である。このような高分子発光素子としては、例えば、下記ａ）の構造が例示される。
ａ）陽極／正孔輸送層／発光層／陰極
（ここで、／は各層が隣接して積層されていることを示す。以下同じ。）。
【０２１０】
本発明にかかる前記正孔輸送層は、正孔を輸送する機能を有する層であり、上記本発明にかかる高分子化合物を含有する層である。
【０２１１】
このような正孔輸送層を形成する方法としては、前記高分子化合物を含有する層を形成できる方法であればよく特に制限はないが、例えば、前記高分子化合物を含有する溶液を用いて、陽極の表面上に前記高分子化合物を含有する膜（正孔輸送層）を成膜する方法が挙げられる。また、このような本発明にかかる高分子化合物を含有する溶液を用いて成膜する方法においては、前記溶液を塗布した後乾燥することにより溶媒を除去するだけでよく、また、正孔輸送材料を混合した場合においても同様な手法が適用でき、製造上非常に有利である。
【０２１２】
前記高分子化合物を含有する溶液に用いられる溶媒としては、前記高分子化合物を溶解させることができるものであればよく特に制限はない。このような溶媒としては、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒が例示され、より具体的には、クロロホルム、塩化メチレン、ジクロロエタン、テトラヒドロフラン、トルエン、キシレン、メシチレン、テトラリン、デカリン、ｎ−ブチルベンゼン等が挙げられる。なお、用いる高分子化合物の構造や分子量にもよるが、通常、これらの溶媒は、前記高分子化合物を０．１重量％以上溶解させることができるものであることが好ましい。
【０２１３】
また、このような膜（正孔輸送層）の成膜方法としては、例えば、スピンコート法、キャスティング法、マイクログラビアコート法、グラビアコート法、バーコート法、ロールコート法、ワイアーバーコート法、ディップコート法、スリットコート法、キャップコート法、スプレーコート法、スクリーン印刷法、フレキソ印刷法、オフセット印刷法、インクジェットプリント法、ノズルコート法等の塗布法を採用することができる。
【０２１４】
また、このような正孔輸送層の膜厚としては、用いる高分子化合物によって最適値が異なるため、駆動電圧と発光効率が適度な値となるように適宜選択すればよく、少なくともピンホールが発生しないような厚さが必要であることが好ましい。なお、正孔輸送層の膜厚をあまり厚くしてしまうと、素子の駆動電圧が高くなってしまう傾向にある。そのため、このような正孔輸送層の膜厚としては特に制限されないが、１ｎｍ〜１μｍであることが好ましく、２ｎｍ〜５００ｎｍであることがより好ましく、２ｎｍ〜２００ｎｍであることが更に好ましい。
【０２１５】
また、本発明の高分子発光素子においては、正孔輸送層に前記高分子化合物とともに正孔輸送材料を含有させてもよい。このような正孔輸送材料としては特に制限されず、公知のものを適宜使用することができるが、ポリビニルカルバゾール及びその誘導体、ポリシラン及びその誘導体、側鎖又は主鎖に芳香族アミン化合物基を有するポリシロキサン誘導体、ポリアニリン及びその誘導体、ポリチオフェン及びその誘導体、ポリ（ｐ−フェニレンビニレン）及びその誘導体、ポリ（２，５−チエニレンビニレン）及びその誘導体等の高分子量の正孔輸送材料が好ましく、ポリビニルカルバゾール及びその誘導体、ポリシラン及びその誘導体、側鎖又は主鎖に芳香族アミンを有するポリシロキサン誘導体が更に好ましい。
【０２１６】
また、低分子量の正孔輸送材料を含有させる場合には、低分子量の正孔輸送材料を高分子バインダーに分散させて用いることが好ましい。このような高分子バインダーとしては、正孔輸送を極度に阻害しないものが好ましく、また、可視光に対する吸収が強くないものが好ましい。このような高分子バインダーとしては、ポリカーボネート、ポリアクリレート、ポリメチルアクリレート、ポリメチルメタクリレート、ポリスチレン、ポリ塩化ビニル、ポリシロキサン等が例示される。
【０２１７】
また、前記ポリビニルカルバゾール及びその誘導体としては、例えば、ビニルモノマーからカチオン重合又はラジカル重合によって得られるものを好適に利用できる。
【０２１８】
また、前記ポリシラン及びその誘導体としては、例えば、ケミカル・レビュー（Ｃｈｅｍ．Ｒｅｖ．）第８９巻、１３５９頁（１９８９年）、英国特許ＧＢ２３００１９６号公開明細書に記載の化合物等が例示される。このようなポリビニルカルバゾール及びその誘導体の合成方法も、これらの文献に記載された方法を用いることができるが、特にキッピング法を採用することが好ましい。
【０２１９】
さらに、前記ポリシロキサン誘導体としては、シロキサン骨格構造に正孔輸送性がほとんどないため、側鎖又は主鎖に上記低分子正孔輸送材料の構造を有するものが好適に用いられる。このようなポリシロキサン誘導体としては、特に正孔輸送性の芳香族アミンを側鎖又は主鎖に有するものが例示される。
【０２２０】
また、本発明にかかる発光層は、電圧を印加することにより発光する機能を有する層である。このような発光層に用いられる発光層材料としては、公知の材料を適宜用いることができ、発光層に用いることが可能な低分子量の発光層材料や高分子量の発光層材料を適宜用いることが可能である。このような低分子量の発光層材料としては、例えば、ナフタレン誘導体、アントラセン及びその誘導体、ペリレン及びその誘導体、ポリメチン系、キサンテン系、クマリン系、シアニン系等の色素類、８−ヒドロキシキノリン及びその誘導体の金属錯体、芳香族アミン、テトラフェニルシクロペンタジエン及びその誘導体、テトラフェニルブタジエン及びその誘導体等が挙げられる。また、このような低分子量の発光層材料としては、特開昭５７−５１７８１号公報、特開昭５９−１９４３９３号公報に記載されているもの等の公知の材料が使用可能である。また、前記高分子量の発光層材料としては、例えば、ポリフルオレン誘導体、ポリフェニレンビニレン誘導体、ポリアミン誘導体等が挙げられる。
【０２２１】
このような発光層を形成するための方法としては特に制限されず、例えば、前記発光層材料を含有する溶液を用いて成膜することにより発光層を形成する方法が挙げられる。このような発光層材料を含有する溶液を用いて成膜する方法を採用する場合には、前記溶液を塗布した後、乾燥して溶媒を除去するだけで発光層を形成することができるため、製造効率が向上し、製造上非常に有利となる。
【０２２２】
前記発光層材料を含有する溶液を用いた成膜方法としては、スピンコート法、キャスティング法、マイクログラビアコート法、グラビアコート法、バーコート法、ロールコート法、ワイアーバーコート法、ディップコート法、スリットコート法、キャップコート法、スプレーコート法、スクリーン印刷法、フレキソ印刷法、オフセット印刷法、インクジェットプリント法、ノズルコート法等の塗布法を採用することができる。
【０２２３】
また、このような発光層の膜厚としては、用いる材料によって最適値が異なるものであるため駆動電圧と発光効率とが適度な値となるように選択すればよく、特に制限されないが、１ｎｍ〜１μｍであることが好ましく、２ｎｍ〜５００ｎｍであることがより好ましく、５ｎｍ〜２００ｎｍであることが特に好ましい。
【０２２４】
また、本発明にかかる陽極及び陰極からなる電極としては、少なくとも一方が透明又は半透明であることが好ましく、陽極側が透明又は半透明であることがより好ましい。
【０２２５】
このような陽極の材料としては、導電性の金属酸化物膜、半透明の金属薄膜等を適宜用いることができる。このような陽極の材料としては、例えば、酸化インジウム、酸化亜鉛、酸化スズ、及びそれらの複合体であるインジウム・スズ・オキサイド（ＩＴＯ）、インジウム・亜鉛・オキサイド等からなる導電性ガラスを用いて作成された膜（ＮＥＳＡ等）や、金、白金、銀、銅等が用いられ、ＩＴＯ、インジウム・亜鉛・オキサイド、酸化スズが好ましい。
【０２２６】
このような陽極を形成させるための方法としては、真空蒸着法、スパッタリング法、イオンプレーティング法、メッキ法等が挙げられる。また、このような陽極として、ポリアニリン及びその誘導体、ポリチオフェン及びその誘導体等の有機の透明導電膜を用いてもよい。
【０２２７】
さらに、前記陽極の膜厚は、光の透過性と電気伝導度とを考慮して適宜選択することができるものであることから、特に制限されないが、１０ｎｍ〜１０μｍであることが好ましく、２０ｎｍ〜１μｍであることがより好ましく、５０ｎｍ〜５００ｎｍであることが更に好ましい。
【０２２８】
また、このような陽極上に、電荷注入を容易にするために、フタロシアニン誘導体、導電性高分子、カーボン等からなる層、あるいは金属酸化物や金属フッ化物、有機絶縁材料等からなる層を更に設けてもよい。
【０２２９】
また、前記陰極の材料としては、仕事関数の小さい材料が好ましい。このような陰極の材料としては、例えば、リチウム、ナトリウム、カリウム、ルビジウム、セシウム、ベリリウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム等の金属、及びそれらの２種以上の合金、あるいはそれらのうちの１種以上と、金、銀、白金、銅、マンガン、チタン、コバルト、ニッケル、タングステン、錫のうちの１種以上との合金、グラファイト又はグラファイト層間化合物等が挙げられる。また、前記合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金等が挙げられる。また、このような陰極は、２層以上の積層構造としてもよい。
【０２３０】
このような陰極の膜厚は、電気伝導度や耐久性を考慮して適宜選択することができるものであり、特に制限されないが、例えば、１０ｎｍ〜１０μｍであることが好ましく、２０ｎｍ〜１μｍであることがより好ましく、５０ｎｍ〜５００ｎｍであることが更に好ましい。
【０２３１】
また、このような陰極を形成するための方法としては、例えば、真空蒸着法、スパッタリング法、金属薄膜を熱圧着するラミネート法等を採用することができる。また、このような陰極と発光層との間に、導電性高分子からなる層、あるいは金属酸化物や金属フッ化物、有機絶縁材料等からなる層を設けてもよい。
【０２３２】
また、本発明の高分子発光素子においては、陰極と発光層との間に電子輸送層を設けてもよい。ここで、電子輸送層とは、電子を輸送する機能を有する層である。このような高分子発光素子としては、例えば、下記ｂ）の構造が例示される。
ｂ）陽極／正孔輸送層／発光層／電子輸送層／陰極。
【０２３３】
このような電子輸送層に使用される電子輸送材料としては、特に制限されず、公知のものを適宜使用することができる。このような電子輸送材料としては、例えば、オキサジアゾール誘導体、アントラキノジメタン及びその誘導体、ベンゾキノン及びその誘導体、ナフトキノン及びその誘導体、アントラキノン及びその誘導体、テトラシアノアンスラキノジメタン及びその誘導体、フルオレノン誘導体、ジフェニルジシアノエチレン及びその誘導体、ジフェノキノン誘導体、８−ヒドロキシキノリン及びその誘導体の金属錯体、ポリキノリン及びその誘導体、ポリキノキサリン及びその誘導体、ポリフルオレン及びその誘導体等が挙げられる。このような電子輸送材料としては、具体的には、特開昭６３−７０２５７号公報、特開昭６３−１７５８６０号公報、特開平２−１３５３５９号公報、特開平２−１３５３６１号公報、特開平２−２０９９８８号公報、特開平３−３７９９２号公報、特開平３−１５２１８４号公報に記載されているもの等が挙げられる
このような電子輸送材料としては、オキサジアゾール誘導体、ベンゾキノン及びその誘導体、アントラキノン及びその誘導体、８−ヒドロキシキノリン及びその誘導体の金属錯体、ポリキノリン及びその誘導体、ポリキノキサリン及びその誘導体、ポリフルオレン及びその誘導体がより好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンが更に好ましい。
【０２３４】
また、このような電子輸送層を形成させるための方法としては特に制限されないが、低分子量の電子輸送材料を用いる場合には、粉末からの真空蒸着法、溶液又は溶融状態からの成膜による方法が挙げられ、高分子量の電子輸送材料を用いる場合には、溶液又は溶融状態からの成膜による方法が挙げられる。このような溶液又は溶融状態からの成膜時には、高分子バインダーを併用してもよい。
【０２３５】
このような電子輸送層の成膜に用いる溶液中の溶媒としては、電子輸送材料及び／又は高分子バインダーを溶解させることができるものであればよく特に制限はない。このような溶媒としては、例えば、クロロホルム、塩化メチレン、ジクロロエタン等の塩素系溶媒、テトラヒドロフラン等のエーテル系溶媒、トルエン、キシレン等の芳香族炭化水素系溶媒、アセトン、メチルエチルケトン等のケトン系溶媒、酢酸エチル、酢酸ブチル、エチルセルソルブアセテート等のエステル系溶媒が挙げられる。
【０２３６】
また、このような電子輸送層の成膜方法としては、例えば、スピンコート法、キャスティング法、マイクログラビアコート法、グラビアコート法、バーコート法、ロールコート法、ワイアーバーコート法、ディップコート法、スリットコート法、キャップコート法、スプレーコート法、スクリーン印刷法、フレキソ印刷法、オフセット印刷法、インクジェットプリント法、ノズルコート法等の塗布法を採用することができる。
【０２３７】
また、このような電子輸送層の成膜に用いる溶液に混合することが可能な高分子バインダーとしては、電荷輸送を極度に阻害しないものが好ましく、また、可視光に対する吸収が強くないものが好ましい。このような高分子バインダーとしては、ポリ（Ｎ−ビニルカルバゾール）、ポリアニリン及びその誘導体、ポリチオフェン及びその誘導体、ポリ（ｐ−フェニレンビニレン）及びその誘導体、ポリ（２，５−チエニレンビニレン）及びその誘導体、ポリカーボネート、ポリアクリレート、ポリメチルアクリレート、ポリメチルメタクリレート、ポリスチレン、ポリ塩化ビニル、ポリシロキサン等が例示される。
【０２３８】
さらに、このような電子輸送層の膜厚は、用いる材料によって最適値が異なるものであるため駆動電圧と発光効率が適度な値となるように選択すればよいが、少なくともピンホールが発生しないような厚さが必要である。また、このような電子輸送層の膜厚は、あまり厚いと素子の駆動電圧が高くなる傾向にある。そのため、このような電子輸送層の膜厚としては、特に制限されないが、１ｎｍ〜１μｍであることが好ましく、２ｎｍ〜５００ｎｍであることがより好ましく、５ｎｍ〜２００ｎｍであることが更に好ましい。
【０２３９】
また、電極に隣接して設けた電荷輸送層のうち、電極からの電荷注入効率を改善する機能を有し、素子の駆動電圧を下げる効果を有するものは、特に電荷注入層（正孔注入層、電子注入層）と一般に呼ばれることがある。
【０２４０】
また、本発明の高分子発光素子においては、電極との密着性向上や電極からの電荷注入の改善のために、電極に隣接して前記電荷注入層又は絶縁層を設けてもよく、また、界面の密着性向上や混合の防止等のために電荷輸送層や発光層の界面に薄いバッファー層を挿入してもよい。また、本発明の高分子発光素子における積層する層の順番や数、及び各層の厚さについては、発光効率や素子寿命を勘案して適宜選択すればよい。このような電荷注入層（電子注入層、正孔注入層）を設けた高分子発光素子としては、例えば、陰極に隣接して電荷注入層を設けた構造のもの、陽極に隣接して電荷注入層を設けた構造のもの等が挙げられ、下記ｃ)〜ｈ)の構造の高分子発光素子が例示される。
ｃ）陽極／電荷注入層／正孔輸送層／発光層／陰極
ｄ）陽極／正孔輸送層／発光層／電荷注入層／陰極
ｅ）陽極／電荷注入層／正孔輸送層／発光層／電荷注入層／陰極
ｆ）陽極／電荷注入層／正孔輸送層／発光層／電子輸送層／陰極
ｇ）陽極／正孔輸送層／発光層／電子輸送層／電荷注入層／陰極
ｈ）陽極／電荷注入層／正孔輸送層／発光層／電子輸送層／電荷注入層／陰極。
【０２４１】
このような電荷注入層としては、例えば、導電性高分子を含む層、陽極と正孔輸送層との間に設けられ、陽極材料と正孔輸送層に含まれる正孔輸送材料との中間の値のイオン化ポテンシャルを有する材料を含む層、陰極と電子輸送層との間に設けられ、陰極材料と電子輸送層に含まれる電子輸送材料との中間の値の電子親和力を有する材料を含む層等が例示される。
【０２４２】
また。このような電荷注入層が導電性高分子を含む層である場合においては、前記導電性高分子の電気伝導度は１０−５Ｓ／ｃｍ以上１０３Ｓ／ｃｍ以下であることが好ましく、発光画素間のリーク電流を小さくするためには、１０−５Ｓ／ｃｍ以上１０２Ｓ／ｃｍ以下であることがより好ましく、１０−５Ｓ／ｃｍ以上１０１Ｓ／ｃｍ以下であることが更に好ましい。このような導電性高分子の電気伝導度を１０−５Ｓ／ｃｍ以上１０３Ｓ／ｃｍ以下とするためには、通常、前記導電性高分子に適量のイオンをドープする。
【０２４３】
このようにしてドープするイオンの種類としては、正孔注入層であればアニオン、電子注入層であればカチオンである。このようなアニオンの例としては、ポリスチレンスルホン酸イオン、アルキルベンゼンスルホン酸イオン、樟脳スルホン酸イオン等が挙げられ、前記カチオンの例としては、リチウムイオン、ナトリウムイオン、カリウムイオン、テトラブチルアンモニウムイオン等が挙げられる。
【０２４４】
また、このような電荷注入層の膜厚は、１ｎｍ〜１００ｎｍであることが好ましく、２ｎｍ〜５０ｎｍであることがより好ましい。
【０２４５】
また、このような電荷注入層に用いる材料は、電極や隣接する層の材料との関係で適宜選択すればよく、特に制限されず、例えば、ポリアニリン及びその誘導体、ポリチオフェン及びその誘導体、ポリピロール及びその誘導体、ポリフェニレンビニレン及びその誘導体、ポリチエニレンビニレン及びその誘導体、ポリキノリン及びその誘導体、ポリキノキサリン及びその誘導体、芳香族アミン構造を主鎖又は側鎖に含む重合体等の導電性高分子、金属フタロシアニン（銅フタロシアニン等）、カーボン等が挙げられる。なお、このような電荷注入層の製造方法は特に制限されず、公知の製造方法を適宜採用することがきる。
【０２４６】
また、本発明の高分子発光素子としては、前述のように絶縁層を更に有していてもよい。このような絶縁層を設けた高分子発光素子としては、陰極に隣接して絶縁層を設けた構造の高分子発光素子、陽極に隣接して絶縁層を設けた構造の高分子発光素子等が挙げられ、例えば、下記ｉ)〜ｎ）の構造の高分子発光素子が挙げられる。
ｉ）陽極／絶縁層／正孔輸送層／発光層／陰極
ｊ)陽極／正孔輸送層／発光層／絶縁層／陰極
ｋ)陽極／絶縁層／正孔輸送層／発光層／絶縁層／陰極
ｌ)陽極／絶縁層／正孔輸送層／発光層／電子輸送層／陰極
ｍ）陽極／正孔輸送層／発光層／電子輸送層／絶縁層／陰極
ｎ）陽極／絶縁層／正孔輸送層／発光層／電子輸送層／絶縁層／陰極。
【０２４７】
ここで、絶縁層とは、電荷注入を容易にする機能を有するものである。このような絶縁層の平均膜厚としては、０．１〜２０ｎｍであることが好ましく、０．５〜１０ｎｍであることがより好ましく、１〜５ｎｍであることがより好ましい。また、このような絶縁層の材料としては、金属フッ化物、金属酸化物、有機絶縁材料等が挙げられる。なお、このような絶縁層の製造方法は特に制限されず、公知の製造方法を適宜採用することがきる。
【０２４８】
また、本発明の高分子発光素子を形成する際に用いる基板としては、電極を形成でき且つ有機物の層を形成する際に変化しないものであればよく、特に制限されないが、例えば、ガラス、プラスチック、高分子フィルム、シリコン等の基板が挙げられる。不透明な基板の場合には、反対の電極が透明又は半透明であることが好ましい。
【０２４９】
また、本発明の高分子発光素子においては、これを製造した後に、保護層や保護カバーを装着してもよく、高分子発光素子を長期安定的に用いるという観点からは、素子を外部から保護するために、保護層及び／又は保護カバーを装着することが好ましい。
【０２５０】
このような保護層としては、樹脂、金属酸化物、金属フッ化物、金属ホウ化物等を用いることができる。また、保護カバーとしては、ガラス板、表面に低透水率処理を施したプラスチック板等を用いることができる。このような保護カバーを装着する方法としては、前記保護カバーを熱硬化樹脂や光硬化樹脂で素子基板と貼り合わせて密閉する方法が好適に用いられる。また、このような保護カバーを装着する際には、スペーサーを用いて空間を維持すれば、高分子発光素子が傷つくのを防止することが容易となる。また、このような空間に窒素やアルゴンのような不活性なガスを封入すれば、陰極の酸化を防止することができ、更に、前記空間内に酸化バリウム等の乾燥剤を設置することにより製造工程で吸着した水分が素子にタメージを与えるのを抑制することが容易となる。このような保護カバーを装着する際には、これらのうち、いずれか１つ以上の方策をとることが好ましい。
【０２５１】
また、本発明の高分子発光素子は、面状光源、セグメント表示装置、ドットマトリックス表示装置、液晶表示装置（例えば、バックライト等）等の表示装置等に用いることができる。
【０２５２】
また、本発明の高分子発光素子を用いて面状の発光を得るためには、面状の陽極と陰極が重なり合うように配置すればよい。また、パターン状の発光を得るためには、前記面状の発光素子の表面にパターン状の窓を設けたマスクを設置する方法、非発光部の有機物層を極端に厚く形成し実質的に非発光とする方法、陽極若しくは陰極のいずれか一方、又は両方の電極をパターン状に形成する方法がある。これらのうちのいずれかの方法でパターンを形成し、いくつかの電極を独立にＯｎ／ＯＦＦできるように配置することにより、数字や文字、簡単な記号等を表示できるセグメントタイプの表示素子が得られる。更に、本発明の高分子発光素子をドットマトリックス素子とするためには、陽極と陰極をともにストライプ状に形成して直交するように配置すればよい。また、本発明の高分子発光素子においては、複数の種類の発光色の異なる高分子化合物を塗り分ける方法や、カラーフィルター又は蛍光変換フィルターを用いる方法により、部分カラー表示、マルチカラー表示が可能となる。また、前記ドットマトリックス素子は、パッシブ駆動も可能であるし、ＴＦＴ等と組み合わせてアクティブ駆動としてもよい。このようにして本発明の高分子発光素子により形成される表示素子は、コンピュータ、テレビ、携帯端末、携帯電話、カーナビゲーション、ビデオカメラのビューファインダー等の表示装置として用いることができる。更に、本発明の高分子発光素子を面状の発光素子とした場合には、その素子は自発光薄型となり、液晶表示装置のバックライト用の面状光源、又は面状の照明用光源として好適に用いることができる。また、本発明の高分子発光素子にフレキシブルな基板を用いれば、曲面状の光源や表示装置としても使用できる。
【０２５３】
［第一及び第二の高分子化合物、組成物、液状組成物、並びに導電性薄膜］
本発明の第一の高分子化合物は、前記一般式（Ｉ）で示される繰返し単位、前記一般式（ＩＩ）で示される繰返し単位及び前記一般式（ＶＩ）で示される繰返し単位を含むことを特徴とするものである。
【０２５４】
また、本発明の第二の高分子化合物は、前記一般式（Ｉ）で示される繰返し単位、前記一般式（ＩＩ）で示される繰返し単位及び前記一般式（ＶＩＩ）で示される繰返し単位を含むことを特徴とするものである。
【０２５５】
このような第一及び第二の高分子化合物中の一般式（Ｉ）、（ＩＩ）、（ＶＩ）及び（ＶＩＩ）で示される繰返し単位は、上記本発明の高分子発光素子に用いられる高分子化合物において説明したものと同様である。
【０２５６】
また、このような第一の高分子化合物は、上記本発明の高分子発光素子に用いられる高分子化合物中の前記一般式（ＩＩＩ）で示される繰返し単位が前記一般式（ＶＩ）で示される繰返し単位であるものである。このような第一の高分子化合物を製造する方法としては、前記一般式（Ｘ）中の−Ａ−が一般式（Ｉ）、（ＩＩ）及び（ＶＩ）で示される繰り返し単位となる原料化合物を、それぞれ必須成分として用いる以外は、上記本発明の高分子発光素子に用いられる高分子化合物を製造する方法と同様の方法を採用することができる。
【０２５７】
さらに、前記第二の高分子化合物は、上記本発明の高分子発光素子に用いられる高分子化合物中の前記一般式（ＩＩＩ）で示される繰返し単位が、前記一般式（ＶＩＩ）で示される繰返し単位であるものである。このような第一の高分子化合物を製造する方法としては、前記一般式（Ｘ）中の−Ａ−が一般式（Ｉ）、（ＩＩ）及び（ＶＩＩ）で示される繰り返し単位となる原料化合物を、それぞれ必須成分として用いる以外は、上記本発明の高分子発光素子に用いられる高分子化合物を製造する方法と同様の方法を採用することができる。
【０２５８】
また、このような本発明の第一及び第二の高分子化合物中の前記一般式（ＩＩ）で示される繰返し単位としては、前記一般式（ＩＩ）中のＡｒ１が前記一般式（ＩＶ）で示される基であることが好ましい。このような一般式（ＩＶ）で示される基は、上記本発明の高分子発光素子に用いられる高分子化合物において説明したものと同様である。
【０２５９】
このような本発明の第一及び第二の高分子化合物は、インターレイヤー材料として好適に用いることができる。なお、インターレイヤー材料とは、一対の電極を有する発光素子において、発光層と陽極との間に存在し、発光層に隣接した正孔輸送層をインターレイヤー層とよび、その正孔輸送層に含有される材料のことである。
【０２６０】
また、本発明の第一及び第二の高分子化合物を高分子ＬＥＤ等に用いる場合においては、第一及び第二の高分子化合物の純度が発光特性等の素子の性能に影響を与えるため、その製造の際には、重合前のモノマーを蒸留、昇華精製、再結晶等の方法で精製した後に重合することが好ましい。また、重合後、再沈精製、クロマトグラフィーによる分別等の純化処理をすることが好ましい。
【０２６１】
また、本発明の第一及び第二の高分子化合物は、発光素子における正孔輸送層として用いることができるだけでなく、薄膜、有機半導体材料、有機トランジスタ、光学材料、太陽電池又はドーピングにより導電性材料として用いることもできる。
【０２６２】
このような薄膜としては、前記高分子化合物を用いてなる導電性薄膜、有機半導体薄膜等が例示される。なお、導電性薄膜については後述する。
【０２６３】
このような有機半導体薄膜は、電子移動度又は正孔移動度のいずれか大きいほうが好ましく、電子移動度又は正孔移動度が、１０−５ｃｍ２／Ｖ／秒以上であることがより好ましくは、１０−３ｃｍ２／Ｖ／秒以上であることが更に好ましく、１０−１ｃｍ２／Ｖ／秒以上であることが特に好ましい。また、このような有機半導体薄膜を用いて、有機トランジスタを作製することができる。具体的には、ＳｉＯ２等の絶縁膜とゲート電極とを形成したＳｉ基板上に有機半導体薄膜を形成し、Ａｕ等でソース電極とドレイン電極を形成することにより、有機トランジスタとすることができる。
【０２６４】
また、本発明の第一及び第二の高分子化合物は、高分子電界効果トランジスタの材料として利用でき、中でも活性層として好適に用いることができる。高分子電界効果トランジスタの構造としては、通常は、ソース電極及びドレイン電極が高分子からなる活性層に接して設けられており、さらに活性層に接した絶縁層を挟んでゲート電極が設けられていればよい。
【０２６５】
このような高分子電界効果トランジスタは、通常は支持基板上に形成される。支持基板としては電界効果トランジスタとしての特性を阻害しなければ材質は特に制限されないが、ガラス基板やフレキシブルなフィルム基板やプラスチック基板も用いることができる。また、このような高分子電界効果トランジスタは、公知の方法により製造することができ、例えば、特開平５−１１００６９号公報に記載の方法により製造することができる。
【０２６６】
また、前記活性層を形成する際に、製造上非常に有利であることから、有機溶媒可溶性の第一及び第二の高分子化合物を用いることが好ましい。このような有機溶媒可溶性の第一及び第二の高分子化合物を溶媒に溶解させてなる溶液を用いて前記活性層を成膜する方法としては、スピンコート法、キャスティング法、マイクログラビアコート法、グラビアコート法、バーコート法、ロールコート法、ワイアーバーコート法、ディップコート法、スリットコート法、キャップコート法、スプレーコート法、スクリーン印刷法、フレキソ印刷法、オフセット印刷法、インクジェット印刷法、ノズルコート法等の塗布法等を採用することができる。
【０２６７】
また、このような高分子電界効果トランジスタとしては、高分子電界効果トランジスタを作製した後、封止してなる封止高分子電界効果トランジスタが好ましい。このようにして製造することで、高分子電界効果トランジスタが、大気から遮断され、高分子電界効果トランジスタの特性の低下を抑えることができる。また、封止する方法としては、紫外線（ＵＶ）硬化樹脂、熱硬化樹脂や無機のＳｉＯＮｘ膜等でカバーする方法、ガラス板やフィルムをＵＶ硬化樹脂、熱硬化樹脂等で張り合わせる方法等が挙げられる。大気との遮断を効果的に行うため高分子電界効果トランジスタを作製した後、封止するまでの工程を大気に曝すことなく（例えば、乾燥した窒素雰囲気中、真空中等で）行うことが好ましい。
【０２６８】
また、本発明の第一及び第二の高分子化合物を用いて製造することができる太陽電池について、有機太陽電池の一態様である、有機光電変換素子であって光起電力効果を利用する固体光電変換素子を例に説明する。
【０２６９】
本発明の第一及び第二の高分子化合物は、有機光電変換素子の材料として、中でも有機半導体と金属との界面を利用するショットキー障壁型素子の有機半導体層として、また、有機半導体と無機半導体あるいは有機半導体どうしの界面を利用するｐｎへテロ接合型素子の有機半導体層として、好適に用いることができる。
【０２７０】
さらに、ドナー・アクセプターの接触面積を増大させたバルクヘテロ接合型素子における電子供与性高分子、電子受容性高分子として、また、高分子・低分子複合系を用いる有機光電変換素子、例えば、電子受容体としてフラーレン誘導体を分散したバルクヘテロ接合型有機光電変換素子の電子供与性共役系高分子（分散支持体）として、好適に用いることができる。
【０２７１】
このような有機光電変換素子の構造としては、例えば、ｐｎへテロ接合型素子では、オーム性電極、例えば、ＩＴＯ上に、ｐ型半導体層を形成し、さらに、ｎ型半導体層を積層し、その上にオーム性電極が設けられていればよい。
【０２７２】
このような有機光電変換素子は、通常は支持基板上に形成される。支持基板としては有機光電変換素子としての特性を阻害しなければ材質は特に制限されないが、ガラス基板やフレキシブルなフィルム基板やプラスチック基板も用いることができる。
【０２７３】
また、このような有機光電変換素子は、公知の方法、例えば、Ｓｙｎｔｈ．Ｍｅｔ．，１０２，９８２（１９９９）に記載の方法やＳｃｉｅｎｃｅ，２７０，１７８９（１９９５）に記載の方法により製造することができる。
【０２７４】
次に、本発明の組成物について説明する。
【０２７５】
本発明の組成物は、上記本発明の第一及び第二の高分子化合物のうちの少なくとも１種と、発光材料及び正孔輸送材料からなる群から選ばれる少なくとも１種の材料とを含有することを特徴とするものである。
【０２７６】
このような発光材料としては特に制限されず、公知のものを適宜使用することができる。このような発光材料のうち低分子量のものとしては、例えば、ナフタレン誘導体、アントラセン及びその誘導体、ペリレン及びその誘導体、ポリメチン系、キサンテン系、クマリン系、シアニン系等の色素類、８−ヒドロキシキノリン及びその誘導体の金属錯体、芳香族アミン、テトラフェニルシクロペンタジエン及びその誘導体、テトラフェニルブタジエン及びその誘導体等が挙げられる。このような発光材料としては、例えば、特開昭５７−５１７８１号公報、特開昭５９−１９４３９３号公報に記載されているもの等が挙げられる。
【０２７７】
また、前記正孔輸送材料としては特に制限されず、公知のものを適宜使用することができる。このような正孔輸送材料としては、例えば、ポリビニルカルバゾール及びその誘導体、ポリシラン及びその誘導体、側鎖又は主鎖に芳香族アミンを有するポリシロキサン誘導体、ピラゾリン誘導体、アリールアミン誘導体、スチルベン誘導体、トリフェニルジアミン誘導体、ポリアニリン及びその誘導体、ポリチオフェン及びその誘導体、ポリピロール及びその誘導体、ポリ（ｐ−フェニレンビニレン）及びその誘導体、ポリ（２，５−チエニレンビニレン）及びその誘導体等が挙げられる。
【０２７８】
また、本発明の組成物中における発光材料及び正孔輸送材料からなる群から選ばれる少なくとも１種の材料の含有割合は１質量％〜８０質量％であることが好ましく、５質量％〜６０質量％であることがより好ましい。このような材料の含有量が前記下限未満では、十分な発光性や正孔輸送性を付与できなくなる傾向にあり、他方、前記上限を超えると、高分子化合物の電荷輸送性を発揮できなくなる傾向にある。なお、このような組成物中においては、第一又は第二の高分子化合物をそれぞれ単独で或いは組み合わせて用いてもよい。また、前記第一及び第二の高分子化合物は２種以上含有させてもよい。
【０２７９】
次に、本発明の液状組成物について説明する。
【０２８０】
本発明の液状組成物は、上記本発明の第一及び第二の高分子化合物のうちの少なくとも１種と、溶媒とを含有することを特徴とするものである。
【０２８１】
このような液状組成物は、高分子発光素子等の発光素子や有機トランジスタの作製に有用である。また、「液状組成物」とは、素子作製時において液状であるものを意味し、典型的には、常圧（即ち、１気圧）、２５℃において液状のものを意味する。また、液状組成物は、一般的には、インク、インク組成物、溶液等と呼ばれることがある。
【０２８２】
また、本発明の液状組成物中の溶媒の含有割合としては、液状組成物の全質量に対して１質量％〜９９．９質量％であることが好ましく、より好ましくは６０質量％〜９９．９質量％であり、更に好ましく９０質量％〜９９．８質量％である。また、液状組成物の好適な粘度は、これを用いて薄膜等を製造する際に採用する印刷法によって異なるものではあるが、２５℃において０．５〜５００ｍＰａ・ｓの範囲であることが好ましく、インクジェットプリント法等、液状組成物が吐出装置を経由するものの場合には、吐出時の目づまりや飛行曲がりを防止するために粘度が２５℃において０．５〜２０ｍＰａ・ｓの範囲であることが好ましい。
【０２８３】
また、このような溶媒としては、本発明の液状組成物中に含有される溶媒以外の成分を溶解又は分散できるものが好ましい。このような溶媒としては、クロロホルム、塩化メチレン、１，２−ジクロロエタン、１，１，２−トリクロロエタン、クロロベンゼン、ｏ−ジクロロベンゼン等の塩素系溶媒、テトラヒドロフラン、ジオキサン等のエーテル系溶媒、トルエン、キシレン、トリメチルベンゼン、メシチレン等の芳香族炭化水素系溶媒、シクロヘキサン、メチルシクロヘキサン、ｎ−ペンタン、ｎ−ヘキサン、ｎ−へプタン、ｎ−オクタン、ｎ−ノナン、ｎ−デカン等の脂肪族炭化水素系溶媒、アセトン、メチルエチルケトン、シクロヘキサノン等のケトン系溶媒、酢酸エチル、酢酸ブチル、メチルベンゾエート、エチルセルソルブアセテート等のエステル系溶媒、エチレングリコール、エチレングリコールモノブチルエーテル、エチレングリコールモノエチルエーテル、エチレングリコールモノメチルエーテル、ジメトキシエタン、プロピレングリコール、ジエトキシメタン、トリエチレングリコールモノエチルエーテル、グリセリン、１，２−ヘキサンジオール等の多価アルコール及びその誘導体、メタノール、エタノール、プロパノール、イソプロパノール、シクロヘキサノール等のアルコール系溶媒、ジメチルスルホキシド等のスルホキシド系溶媒、Ｎ−メチル−２−ピロリドン、Ｎ，Ｎ−ジメチルホルムアミド等のアミド系溶媒等が例示される。また、これらの溶媒は、１種を単独で用いてもよく、あるいは複数組み合わせて用いてもよい。前記溶媒のうち、ベンゼン環を少なくとも１個以上含む構造を有し、且つ融点が０℃以下、沸点が１００℃以上である有機溶媒を１種類以上含むことが、粘度、成膜性等の観点から好ましい。
【０２８４】
また、このような溶媒の種類としては、液状組成物中に含有される溶媒以外の成分の溶媒への溶解性、成膜時の均一性、粘度特性等の観点から、芳香族炭化水素系溶媒、脂肪族炭化水素系溶媒、エステル系溶媒、ケトン系溶媒が好ましく、トルエン、キシレン、エチルベンゼン、ジエチルベンゼン、トリメチルベンゼン、メシチレン、ｎ−プロピルベンゼン、ｉ−プロピルベンゼン、ｎ−ブチルベンゼン、ｉ−ブチルベンゼン、ｓ−ブチルベンゼン、アニソール、エトキシベンゼン、１−メチルナフタレン、シクロヘキサン、シクロヘキサノン、シクロヘキシルベンゼン、ビシクロヘキシル、シクロヘキセニルシクロヘキサノン、ｎ−ヘプチルシクロヘキサン、ｎ−ヘキシルシクロヘキサン、メチルベンゾエート、２−プロピルシクロヘキサノン、２−ヘプタノン、３−ヘプタノン、４−ヘプタノン、２−オクタノン、２−ノナノン、２−デカノン、ジシクロヘキシルケトンが好ましく、キシレン、アニソール、メシチレン、シクロヘキシルベンゼン、ビシクロヘキシルメチルベンゾエートのうち少なくとも１種類を含むことがより好ましい。
【０２８５】
更に、本発明の液状組成物に含まれる溶媒の種類は、成膜性の観点や素子特性等の観点から、２種類以上であることがより好ましく、２〜３種類であることが更に好ましく、２種類であることが特に好ましい。
【０２８６】
本発明の液状組成物に２種類の溶媒が含まれる場合、そのうちの１種類の溶媒は２５℃において固体状態でもよい。また、成膜性の観点からは、１種類の溶媒は沸点が１８０℃以上のものであり、他の１種類の溶媒は沸点が１８０℃未満のものであることが好ましく、１種類の溶媒は沸点が２００℃以上のものであり、他の１種類の溶媒は沸点が１８０℃未満のものであることがより好ましい。更に、粘度の観点からは、６０℃において、液状組成物から溶媒を除いた成分の０．２質量％以上が溶媒に溶解することが好ましく、２種類の溶媒のうちの１種類の溶媒には、２５℃において、液状組成物から溶媒を除いた成分の０．２質量％以上が溶解することが好ましい。
【０２８７】
また、本発明の液状組成物に３種類の溶媒が含まれる場合、そのうちの１〜２種類の溶媒は２５℃において固体状態でもよい。成膜性の観点からは、３種類の溶媒のうちの少なくとも１種類の溶媒は沸点が１８０℃以上の溶媒であり、少なくとも１種類の溶媒は沸点が１８０℃以下の溶媒であることが好ましく、３種類の溶媒のうちの少なくとも１種類の溶媒は沸点が２００℃以上３００℃以下の溶媒であり、少なくとも１種類の溶媒は沸点が１８０℃以下の溶媒であることがより好ましい。また、粘度の観点からは、３種類の溶媒のうちの２種類の溶媒には、６０℃において、液状組成物から溶媒を除いた成分の０．２質量％以上が溶媒に溶解することが好ましく、３種類の溶媒のうちの１種類の溶媒には、２５℃において、液状組成物から溶媒を除いた成分の０．２質量％以上が溶媒に溶解することが好ましい。
【０２８８】
さらに、本発明の液状組成物に２種類以上の溶媒が含まれる場合、粘度及び成膜性の観点から、最も沸点が高い溶媒が、液状組成物に含まれる全溶媒の質量の４０〜９０質量％であることが好ましく、５０〜９０質量％であることがより好ましく、６５〜８５質量％であることがさらに好ましい。このような最も沸点が高い溶媒の含有量が前記下限未満では、粘度が低くなり、これを用いて最適な膜厚の膜を製造することが困難となる傾向にあり、他方、前記上限を超えると、粘度が高くなり、これを用いて均質な膜を製造することが困難となる傾向にある。
【０２８９】
また、本発明の液状組成物は、上記本発明の第一及び第二の高分子化合物及び溶媒以外に任意成分として、低分発光材料、正孔輸送材料、安定剤、粘度及び／又は表面張力を調節するための添加剤、酸化防止剤等を含んでいてもよい。これらの任意成分は、各々、一種を単独で用いてもよく又は二種以上を併用して用いてもよい。
【０２９０】
本発明の液状組成物が含有してもよい低分子発光材料としては、例えば、ナフタレン誘導体、アントラセン、アントラセン誘導体、ペリレン、ペリレン誘導体、ポリメチン系色素、キサンテン系色素、クマリン系色素、シアニン系色素、８−ヒドロキシキノリンの金属錯体を配位子として有する金属錯体、８−ヒドロキシキノリン誘導体を配位子として有する金属錯体、その他の蛍光性金属錯体、芳香族アミン、テトラフェニルシクロペンタジエン、テトラフェニルシクロペンタジエン誘導体、テトラフェニルシクロブタジエン、テトラフェニルシクロブタジエン誘導体、スチルベン系、含ケイ素芳香族系、オキサゾール系、フロキサン系、チアゾール系、テトラアリールメタン系、チアジアゾール系、ピラゾール系、メタシクロファン系、アセチレン系等の低分子化合物の蛍光性材料が挙げられる。このような低分子発光材料としては、例えば、特開昭５７−５１７８１号公報、特開昭５９−１９４３９３号公報等に記載されているもの等の公知のものが挙げられる。
【０２９１】
また、本発明の液状組成物が含有してもよい正孔輸送材料としては、上記本発明の組成物において説明した正孔輸送材料と同様のものである。
【０２９２】
また、本発明の液状組成物が含有してもよい安定剤としては、例えば、フェノール系酸化防止剤、リン系酸化防止剤等が挙げられる。
【０２９３】
さらに、本発明の液状組成物が含有してもよい粘度及び／又は表面張力を調節するための添加剤としては、例えば、粘度を高めるための高分子量の化合物（増粘剤）や貧溶媒、粘度を下げるための低分子量の化合物、表面張力を下げるための界面活性剤等を適宜組み合わせて使用すればよい。
【０２９４】
このような粘度を高めるための高分子量の化合物（増粘剤）としては、発光や電荷輸送を阻害しないものであればよく、特に制限されないが、本発明の液状組成物の溶媒に対して可溶性のものが好ましい。このような増粘剤としては、例えば、高分子量のポリスチレン、高分子量のポリメチルメタクリレート等を用いることができる。前記増粘剤のポリスチレン換算の重量平均分子量は５０万以上が好ましく、１００万以上がより好ましい。また、貧溶媒を増粘剤として用いることもできる。
【０２９５】
また、本発明の液状組成物が含有してもよい酸化防止剤としては、発光や電荷輸送を阻害しないものであればよく、特に制限されないが、溶媒に可溶性のものが好ましい。このような酸化防止剤としては、フェノール系酸化防止剤、リン系酸化防止剤等が例示される。また、このような酸化防止剤を用いることにより、前記正孔輸送層や溶媒の保存安定性を改善される傾向にある。
【０２９６】
また、本発明の液状組成物が正孔輸送材料を含有する場合における液状組成物中の正孔輸送材料の含有割合は、１質量％〜８０質量％であることが好ましく、５質量％〜６０質量％であることがより好ましい。このような正孔輸送材料の含有量が前記下限未満では、得られた液状組成物を成膜した際に、得られる膜に十分な正孔輸送能や電子輸送能等を付与できなくなる傾向にあり、他方、前記上限を超えると、高分子化合物の電荷輸送性を発揮できなくなる傾向にある。
【０２９７】
また、高分子発光素子を製造する際に、本発明の液状組成物を用いて正孔輸送層を成膜する場合、前記液状組成物を塗布した後、乾燥することにより溶媒を除去するだけで正孔輸送層を成膜することができる。また、電荷輸送材料や発光材料を混合した場合においても同様な手法を適用して電荷輸送層や発光層を成膜することができる。そのため、本発明の液状組成物は、高分子発光素子の製造効率を向上させることができ、製造上非常に有利なものである。なお、前記乾燥の際には、５０〜１５０℃程度に加温した状態で乾燥させてもよく、更には、１０−３Ｐａ程度に減圧して乾燥させてもよい。
【０２９８】
また、本発明の液状組成物を用いた成膜方法としては、スピンコート法、キャスティング法、マイクログラビアコート法、グラビアコート法、バーコート法、ロールコート法、ワイアーバーコート法、ディップコート法、スリットコート法、キャップコート法、スプレーコート法、スクリーン印刷法、フレキソ印刷法、オフセット印刷法、インクジェットプリント法、ノズルコート法等の塗布法を採用することができる。
【０２９９】
次に、本発明の導電性薄膜について説明する。
【０３００】
本発明の導電性薄膜は、上記本発明の第一及び第二の高分子化合物から選択される高分子化合物を１種類以上含有することを特徴とするものである。
【０３０１】
このような導電性薄膜は、表面抵抗が１ＫΩ／□以下であることが好ましく、表面抵抗が１００Ω／□以下であることがより好ましく、１０Ω／□以下であることがさらに好ましい。また、このような導電性薄膜においては、ルイス酸、イオン性化合物等をドープすることにより、電気伝導度を高めることができる。
【０３０２】
また、本発明の導電性薄膜において、上記本発明の第一及び第二の高分子化合物から選択される高分子化合物の含有割合としては、特に制限されないが、２０〜１００質量％であることが好ましく、４０〜１００質量％であることがより好ましい。このような高分子化合物の含有割合が前記下限未満では、高分子化合物の電荷輸送性を発揮できなくなる傾向にある。
【０３０３】
なお、このような導電性薄膜を製造する方法は特に制限されず、公知の方法を適宜採用することができる。また、このような導電性薄膜の膜厚としては、用いる用途や高分子化合物の種類等によって異なるものであり、用途等に応じて適宜その膜厚を変更して用いることができる。更に、このような導電性薄膜においては、必要に応じて各種添加剤等を含有させてもよい。
【実施例】
【０３０４】
以下、実施例及び比較例に基づいて本発明をより具体的に説明するが、本発明は以下の実施例に限定されるものではない。
【０３０５】
［高分子化合物＜Ｐ−１〜６＞の製造］
（合成例１）
下記構造式で示される繰り返し単位を含有する高分子化合物＜Ｐ−１＞を製造した。
【０３０６】
【化５７】
2008189759.tif 000058
【０３０７】
すなわち、先ず、不活性雰囲気下、２，７−ビス（１，３，２−ジオキサボロラン−２−イル）−９，９−ジオクチルフルオレン（２．１０ｇ）、ビス（４−ブロモフェニル）−（４−セカンダリブチルフェニル）−アミン（１．６５ｇ）、２，７−ジブロモ−９，９−ビス（４’−へキシルオキシ−３−エトキシカルボニルフェニル）−フルオレン（０．３２ｇ）、ビストリフェニルホスフィンパラジウムジクロライド（８．４ｍｇ）、Ａｌｉｑｕａｔ３３６（０．５２ｇ，アルドリッチ製）、トルエン（４０ｍｌ）を混合し、得られた反応溶液を１０５℃に加熱した。次に、前記反応溶液に２ＭのＮａ２ＣＯ３水溶液（１１ｍｌ）を滴下し、４時間還流させて反応させた後、フェニルホウ酸（５０ｍｇ）を加え、さらに３時間還流させた。次いで、前記反応溶液に１．８Ｍのジエチルジチアカルバミン酸ナトリウム水溶液（１０ｍｌ）を加え、８０℃で４時間撹拌した後、２５℃に冷却し、水（６０ｍｌ）で３回、３質量％酢酸水溶液（６０ｍｌ）で４回、水（６０ｍｌ）で３回洗浄した後、アルミナカラム、シリカゲルカラムを通すことにより精製し、トルエン溶液を得た。そして、得られたトルエン溶液をメタノール（３Ｌ）に滴下し、３時間撹拌した後、得られた固体をろ取し乾燥させて高分子化合物＜Ｐ−１＞を得た。得られた高分子化合物＜Ｐ−１＞の収量は１．８７ｇであった。また、高分子化合物＜Ｐ−１＞のポリスチレン換算重量平均分子量は、１．４×１０５であり、ポリスチレン換算数平均分子量は５．７×１０４であった。
【０３０８】
なお、ビス（４−ブロモフェニル）−（４−セカンダリブチルフェニル）−アミンは、ＷＯ２００２／０４５１８４号パンフレットに記載の方法で合成し、２，７−ジブロモ−９，９−ビス（４’−へキシルオキシ−３−エトキシカルボニルフェニル）−フルオレンはＷＯ２００６／０６０４３７号パンフレットに記載の方法で合成した。
【０３０９】
（実施例１）
下記構造式で示される繰り返し単位を含有する高分子化合物＜Ｐ−２＞（本発明の第一の高分子化合物）を製造した。
【０３１０】
【化５８】
2008189759.tif 000059
【０３１１】
すなわち、先ず、不活性雰囲気下、５，９−ビス（４，４，５，５−テトラメチル−１，３，２−ジオキサボロラン−２−イル）−７，７−ジオクチル−ベンゾ〔ｃ〕フルオレン（２．７８ｇ）、Ｎ，Ｎ’−ビス（４−ブロモフェニル）−Ｎ，Ｎ’−ビス（４−ｎ−ブチルフェニル）−１，４−フェニレンジアミン（２．４６ｇ）、２，７−ジブロモ−９，９−ビス（４−へキシルオキシ−３−エトキシカルボニルフェニル）−フルオレン（０．３３ｇ）、ビストリフェニルホスフィンパラジウムジクロライド（８．４ｍｇ）、Ａｌｉｑｕａｔ３３６（０．５２ｇ，アルドリッチ製）、トルエン（４０ｍｌ）を混合し、得られた反応溶液を１０５℃に加熱した。次に、前記反応溶液に２ＭのＮａ２ＣＯ３水溶液（１１ｍｌ）を滴下し、３．５時間還流させて反応させた後、フェニルホウ酸（５０ｍｇ）を加え、さらに３時間還流させた。次いで、前記反応溶液に１．８Ｍのジエチルジチアカルバミン酸ナトリウム水溶液（２５ｍｌ）を加え、８０℃で４時間撹拌した後、２５℃に冷却し、水（６０ｍｌ）で３回、３質量％酢酸水溶液（６０ｍｌ）で４回、水（６０ｍｌ）で３回洗浄した後、アルミナカラム、シリカゲルカラムを通すことにより精製し、トルエン溶液を得た。そして、得られたトルエン溶液をメタノール（３Ｌ）に滴下し、３時間撹拌した後、得られた固体をろ取し乾燥させて、本発明の第一の高分子化合物である高分子化合物＜Ｐ−２＞を得た。得られた高分子化合物＜Ｐ−２＞の収量は３．２２ｇであった。また、高分子化合物＜Ｐ−２＞のポリスチレン換算重量平均分子量は、２．４×１０５であり、ポリスチレン換算数平均分子量は９．１×１０４であった。
【０３１２】
なお、５，９−ビス（４，４，５，５−テトラメチル−１，３，２−ジオキサボロラン−２−イル）−７，７−ジオクチル−ベンゾ〔ｃ〕フルオレンはＷＯ２００５／０５６６３３号パンフレットに記載の方法で合成し、Ｎ，Ｎ’−ビス（４−ブロモフェニル）−Ｎ，Ｎ’−ビス（４−ｎ−ブチルフェニル）−１，４−フェニレンジアミンはＷＯ２００５／０４９６８９号パンフレットに記載の方法で合成した。
【０３１３】
（合成例２）
下記構造式で示される繰り返し単位を含有する高分子化合物＜Ｐ−３＞を製造した。
【０３１４】
【化５９】
2008189759.tif 000060
【０３１５】
すなわち、先ず、不活性雰囲気下、２，７−ビス（１，３，２−ジオキサボロラン−２−イル）−９，９−ジオクチルフルオレン（６．１４ｇ）、Ｎ，Ｎ’−ビス（４−ブロモフェニル）−  Ｎ，Ｎ’−ビス（４−ｔ−ブチル−２，６−ジメチルフェニル）−ベンジジン（８．４４ｇ）、２，７−ジブロモ−９，９−ビス（４−へキシルオキシ−３−エトキシカルボニルフェニル）−フルオレン（０．９５ｇ）、ビストリフェニルホスフィンパラジウムジクロライド（８．９ｍｇ）、Ａｌｉｑｕａｔ３３６（１．９ｇ，アルドリッチ製）、トルエン（８８ｍｌ）を混合し、得られた反応溶液を１０５℃に加熱した。次に、前記反応溶液に２ＭのＮａ２ＣＯ３水溶液（２８ｍｌ）を滴下し、１時間還流させて反応させた後、フェニルホウ酸（１７０ｍｇ）を加え、さらに３時間還流させた。次いで、前記反応溶液に１．８Ｍのジエチルジチアカルバミン酸ナトリウム水溶液（５０ｍｌ）を加え、８０℃で４時間撹拌した後、２５℃に冷却し、水（２００ｍｌ）で３回、３質量％酢酸水溶液（２００ｍｌ）で４回、水（２００ｍｌ）で３回洗浄した後、アルミナカラム、シリカゲルカラムを通すことにより精製し、トルエン溶液を得た。そして、得られたトルエン溶液をメタノール（３Ｌ）に滴下し、３時間撹拌した後、得られた固体をろ取し乾燥させて、高分子化合物＜Ｐ−３＞を得た。得られた高分子化合物＜Ｐ−３＞の収量は９．７８ｇであった。また、高分子化合物＜Ｐ−３＞のポリスチレン換算重量平均分子量は、３．６×１０５であり、ポリスチレン換算数平均分子量は９．２×１０４であった。
【０３１６】
なお、Ｎ，Ｎ’−ビス（４−ブロモフェニル）−Ｎ，Ｎ’−ビス（４−ｔ−ブチル−２，６−ジメチルフェニル）−ベンジジンはＷＯ２００５／０５６６３３号パンフレットに記載の合成方法で合成した。
【０３１７】
（比較例１）
下記構造式で示される繰り返し単位を含有する高分子化合物＜Ｐ−４＞を製造した。
【０３１８】
【化６０】
2008189759.tif 000061
【０３１９】
すなわち、先ず、不活性雰囲気下、２，７−ビス（１，３，２−ジオキサボロラン−２−イル）−９，９−ジオクチルフルオレン（５．１０ｇ）、Ｎ，Ｎ’−ビス（４−ブロモフェニル）−  Ｎ，Ｎ’−ビス（４−ｔ−ブチル−２，６−ジメチルフェニル）−ベンジジン（７．７８ｇ）、酢酸パラジウム（２．４ｍｇ）、トリ（２−メチルフェニル）ホスフィン（３２．３ｍｇ）、Ａｌｉｑｕａｔ３３６（１．５ｇ，アルドリッチ製）、トルエン（７３ｍｌ）を混合し、得られた反応溶液を１０５℃に加熱した。次に、前記反応溶液に２ＭのＮａ２ＣＯ３水溶液（２３ｍｌ）を滴下し、２時間還流させて反応させた後、フェニルホウ酸（１４０ｍｇ）を加え、さらに３時間還流させた。次いで、前記反応溶液に１．８Ｍのジエチルジチアカルバミン酸ナトリウム水溶液（５０ｍｌ）を加え、８０℃で４時間撹拌した後、２５℃に冷却し、水（１２０ｍｌ）で３回、３質量％酢酸水溶液（１２０ｍｌ）で４回、水（１２０ｍｌ）で３回洗浄した後、アルミナカラム、シリカゲルカラムを通すことにより精製し、トルエン溶液を得た。そして、得られたトルエン溶液をメタノール（３Ｌ）に滴下し、３時間撹拌した後、得られた固体をろ取し乾燥させて、高分子化合物＜Ｐ−４＞を得た。得られた高分子化合物＜Ｐ−４＞の収量は８．７８ｇであった。また、高分子化合物＜Ｐ−４＞のポリスチレン換算重量平均分子量は、１．３×１０５であり、ポリスチレン換算数平均分子量は５．３×１０４であった。
【０３２０】
（実施例２）
下記構造式で示される繰り返し単位を含有する高分子化合物＜Ｐ−５＞（本発明の第二の高分子化合物）を製造した。
【０３２１】
【化６１】
2008189759.tif 000062
【０３２２】
すなわち、先ず、３，７−ジブロモ−２，８−ジオクチルオキシジベンゾチオフェン（０．３０ｇ）、Ｎ，Ｎ’−ビス（４−ブロモフェニル）−Ｎ，Ｎ’−ビス（４−メチルフェニル）−ベンジジン（０．３０ｇ）、２，７−ジブロモ−９，９−ビス（４−へキシルオキシ−３−エトキシカルボニルフェニル）−フルオレン（０．０４ｇ）及び２，２’−ビピリジル（０．３９ｇ、３．１ｍｍｏｌ）を脱水したテトラヒドロフラン４０ｍＬに溶解した後、窒素でバブリングして系内を窒素置換し、反応溶液を得た。次いで、窒素雰囲気下において、前記反応溶液に、ビス（１、５−シクロオクタジエン）ニッケル（０）｛Ｎｉ（ＣＯＤ）２｝（０．６８ｇ）を加え、６０℃まで昇温し、３時間反応させた。次いで、前記反応溶液を２５℃に冷却した後、反応後の前記反応溶液を２５質量％アンモニア水１０ｍｌ／メタノール１２０ｍｌ／イオン交換水５０ｍｌ混合溶液中にそそぎ込み、約１時間攪拌し、沈殿物を析出させた。次に、前記沈殿物を、ろ過することにより回収し、エタノールで洗浄した後、２時間減圧乾燥した。次いで、乾燥後の沈殿物をトルエン３０ｍＬに溶解し、１Ｎの塩酸３０ｍＬを加えて１時間攪拌した後、水層を除去し、更に、有機層に４質量％アンモニア水３０ｍＬを加え、１時間攪拌した後、水層を除去した。次に、このようにして得られた有機層を、メタノール２００ｍＬに滴下して１時間攪拌し、析出した沈殿をろ過して２時間減圧乾燥し、トルエン３０ｍＬに溶解させてトルエン溶液を得た。その後、前記トルエン溶液をアルミナカラム（アルミナ量２０ｇ）に通して精製し、溶液を回収した。そして、回収された溶液をメタノール２５０ｍＬに滴下して１時間攪拌し、析出した沈殿をろ過して２時間減圧乾燥させて、本発明の第二の高分子化合物である高分子化合物＜Ｐ−５＞を得た。得られた高分子化合物＜Ｐ−５＞の収量は０．２５ｇであった。また、高分子化合物＜Ｐ−５＞のポリスチレン換算重量平均分子量は、３．４×１０５であり、ポリスチレン換算数平均分子量は１．２×１０５であった。
【０３２３】
なお、３，７−ジブロモ−２，８−ジオクチルオキシジベンゾチオフェンはＥＰ１３４４７８８号公報に記載の方法で合成した。
【０３２４】
（合成例３）
赤色発光性の高分子化合物＜Ｐ−６＞を製造した。すなわち、先ず、不活性雰囲気下、２，７−ビス（１，３，２−ジオキサボロラン−２−イル）−９，９−ジヘキシルフルオレン（１．９１ｇ）、４，７−ビス（５−ブロモ−４−メチル−２−チエニル）−２，１，３−ベンゾチアジアゾール（０．１０ｇ）、４，７−ジブロモ−２，１，３−ベンゾチアジアゾール（０．３５ｇ）、ビス（４−ブロモフェニル）−（４−セカンダリブチルフェニル）−アミン（０．７４ｇ）、２，７−ジブロモ−９，９−ジヘキシルフルオレン（０．７９ｇ）、ビストリフェニルホスフィンパラジウムジクロライド（８．４ｍｇ）、Ａｌｉｑｕａｔ３３６（０．５２ｇ，アルドリッチ製）、トルエン（４０ｍｌ）を混合し、得られた反応溶液を１０５℃に加熱した。次に、前記反応溶液に２ＭのＮａ２ＣＯ３水溶液（１１ｍｌ）を滴下し、１．５時間還流させた後、フェニルホウ酸（４０ｍｇ）を加え、さらに３時間還流させた。次いで前記反応溶液に１．８Ｍのジエチルジチアカルバミン酸ナトリウム水溶液（１５ｍｌ）を加え、８０℃で４時間撹拌した後、２５℃に冷却し、次いで、水（５０ｍｌ）で３回、３質量％酢酸水溶液（５０ｍｌ）で４回、水（５０ｍｌ）で３回洗浄した後、アルミナカラム、シリカゲルカラムを通すことにより精製して、トルエン溶液を得た。得られたトルエン溶液をメタノール（３Ｌ）に滴下し、１時間撹拌した後、得られた固体をろ取し乾燥させて、赤色発光性の高分子化合物＜Ｐ−６＞を得た。得られた高分子化合物＜Ｐ−６＞の収量は２．０２ｇであった。また、高分子化合物＜Ｐ−６＞のポリスチレン換算重量平均分子量は、１．８×１０５であり、ポリスチレン換算数平均分子量は８．０×１０４であった。
【０３２５】
なお、４，７−ジブロモ−２，１，３−ベンゾチアジアゾールは、ＵＳ３５７７４２７号公報に記載の方法で合成し、４，７−ビス（５−ブロモ−４−メチル−２−チエニル）−２，１，３−ベンゾチアジアゾールは、ＷＯ２０００／０４６３２１号パンフレットに記載の方法で合成した。
【０３２６】
［高分子発光素子（エレクトロルミネッセンス素子：ＥＬ素子）の製造］
（実施例３）
スパッタ法により１５０ｎｍの厚みでＩＴＯ膜を積層させたガラス基板の表面に、ポリ（３，４）エチレンジオキシチオフェン／ポリスチレンスルホン酸（Ｂａｙｅｒ製）の懸濁液をスピンコート法により、約６５ｎｍの厚みとなるようにして塗布し、第一膜を製膜し、ホットプレート上で２００℃、１５分間乾燥した。
【０３２７】
次に、合成例２で得られた高分子化合物＜Ｐ−３＞を混合キシレンに１．５質量％の濃度で溶解させて得られたキシレン溶液を用いて、前記キシレン溶液を第一膜の表面にスピンコート法により塗布し、正孔輸送層を製膜した後、酸素濃度及び水分濃度が１０ｐｐｍ以下（質量基準）の窒素雰囲気下において２００℃の温度条件下で１時間乾燥させた。なお、このようにして乾燥させた後の正孔輸送層は、大気中、混合キシレンを用いて可溶分をリンスすることで厚みを約１０ｎｍとした。
【０３２８】
次に、合成例３で得られた赤色発光性の高分子化合物＜Ｐ−６＞を混合キシレンに１．７質量％の濃度で溶解させて得られたキシレン溶液を用いて、前記キシレン溶液を前記正孔輸送層の表面にスピンコート法により、厚みが約１００ｎｍとなるようにして発光層を製膜し、酸素濃度及び水分濃度が１０ｐｐｍ以下（重量基準）の窒素雰囲気下で、１３０℃の温度条件で１時間乾燥した。
【０３２９】
次いで、１．０×１０−４Ｐａ以下にまで減圧した後、前記発光層の表面に、バリウムを約５ｎｍを蒸着した後、更にアルミニウムを約８０ｎｍ蒸着して、陰極を積層させた。このようにして蒸着させた後、ガラス基板を用いて封止を行って本発明の高分子発光素子を作製した。
〈素子構成〉
ＩＴＯ（陽極）／第一膜（ＢａｙｔｒｏｎＰ：厚み約６５ｎｍ）／正孔輸送層（高分子化合物＜Ｐ−３＞：厚み約１０ｎｍ）／発光層（高分子化合物＜Ｐ−６＞：厚み約８０ｎｍ）／Ｂａ（陰極）／Ａｌ（陰極）。
【０３３０】
＜実施例３で得られた高分子発光素子（ＥＬ素子）の性能の評価＞
実施例３で得られた高分子発光素子に電圧を印加して性能を評価した。実施例３で得られた高分子発光素子に１０．０Ｖの電圧を印加すると、発光波長のピークトップが６７０ｎｍである蛍光を発し、その時の輝度は２８３６ｃｄ／ｍ２であった。また、発光効率は３．８Ｖで最大値を示し、０．７０ｃｄ／Ａであった。さらに、初期輝度１５００ｃｄ／ｍ２での輝度５０％までの減少時間（輝度半減寿命）は、１７６．６時間であることが確認され、十分に長寿命の高分子発光素子が得られることが確認された。
【０３３１】
（比較例２）
スパッタ法により１５０ｎｍの厚みでＩＴＯ膜を積層させたガラス基板の表面に、ポリ（３，４）エチレンジオキシチオフェン／ポリスチレンスルホン酸（Ｂａｙｅｒ製）の懸濁液をスピンコート法により、約６５ｎｍの厚みとなるようにして塗布し、第一膜を製膜し、ホットプレート上で２００℃、１５分間乾燥した。
【０３３２】
次に、比較例１で得られた高分子化合物＜Ｐ−４＞を混合キシレンに１．５質量％の濃度で溶解させて得られたキシレン溶液を用いて、前記キシレン溶液を第一膜の表面にスピンコート法により塗布し、正孔輸送層を製膜した後、酸素濃度及び水分濃度が１０ｐｐｍ以下（質量基準）の窒素雰囲気下において２００℃の温度条件下で１時間乾燥させた。なお、このようにして乾燥させた後の正孔輸送層は、大気中、混合キシレンを用いて可溶分をリンスすることで厚みを約１０ｎｍとした。
【０３３３】
次に、合成例３で得られた赤色発光性の高分子化合物＜Ｐ−６＞を混合キシレンに１．７質量％の濃度で溶解させて得られたキシレン溶液を用いて、前記キシレン溶液を前記正孔輸送層の表面にスピンコート法により、厚みが約１００ｎｍとなるようにして発光層を製膜し、酸素濃度及び水分濃度が１０ｐｐｍ以下（重量基準）の窒素雰囲気下で、１３０℃の温度条件で１時間乾燥した。
【０３３４】
次いで、１．０×１０−４Ｐａ以下にまで減圧した後、前記発光層の表面に、バリウムを約５ｎｍを蒸着した後、更にアルミニウムを約８０ｎｍ蒸着して、陰極を積層させた。このようにして蒸着させた後、ガラス基板を用いて封止を行って、実施例３に対する比較のための高分子発光素子を作製した。
〈素子構成〉
ＩＴＯ（陽極）／第一膜（ＢａｙｔｒｏｎＰ：厚み約６５ｎｍ）／正孔輸送層（高分子化合物＜Ｐ−４＞：厚み約１０ｎｍ）／発光層（高分子化合物＜Ｐ−６＞：厚み約８０ｎｍ）／Ｂａ（陰極）／Ａｌ（陰極）。
【０３３５】
＜比較例２で得られた高分子発光素子（ＥＬ素子）の性能の評価＞
比較例２で得られた高分子発光素子に電圧を印加して性能を評価した。比較例２で得られた高分子発光素子に１０．０Ｖの電圧を印加すると、発光波長のピークトップが６６５ｎｍである蛍光を発し、その時の輝度は３０９０ｃｄ／ｍ２であった。また、発光効率は４．６Ｖで最大値を示し、０．６３ｃｄ／Ａであった。さらに、初期輝度１５００ｃｄ／ｍ２での輝度５０％までの減少時間（輝度半減寿命）は、８２．６時間であることが確認され、その輝度半減寿命は十分ではなかった。
【産業上の利用可能性】
【０３３６】
以上説明したように、本発明によれば、十分に長い輝度半減寿命を有することが可能な高分子発光素子を提供すること、並びに、高分子発光素子の材料として用いた場合に十分に長い輝度半減寿命を有する高分子発光素子を製造することが可能な高分子化合物、それを用いた組成物、液状組成物及び導電性薄膜を提供することが可能となる。
【０３３７】
したがって、本発明の高分子発光素子は、面状光源、セグメント表示装置、ドットマトリックス表示装置、液晶表示装置（例えば、バックライト等）等の表示装置等に用いる素子として特に有用である。